(57)【要約】【課題】  一方の装置の画面を覗き込むことなく、他の人がその画像を閲覧できるようにし、またＵＲＬの転送や入力等を必要とせずに、他方の装置の画面上にウェブページやコンテンツを容易に表示させることを可能とし、さらにはその逆の場合も可能とする。【解決手段】  携帯電話端末Ａ，Ｂは、ブルートゥースのネットワークを構築（Ｔ１２）している。端末Ａは、ユーザの操作入力（Ｔ１４）に応じてスクロール等ができ閲覧可能なウェブページ等の表示データを、端末Ｂへ送信（Ｔ１５）する。端末Ｂは、送信されてきたデータを表示すると共に、ユーザの操作入力（Ｔ１６）により、端末Ａへ切替要求を送信（Ｔ１７）する。また、端末Ｂは、パケット通信（Ｔ１８）によりウェブページのデータを取得し、そのデータを端末Ａへ送信（Ｔ１９）する。【選択図】  図１
2006115299.tif 000002
【特許請求の範囲】
【請求項１】
他の通信端末との間で近距離無線通信を行うための近距離無線通信手段と、
利用者からの操作入力を受け付け、その操作入力に応じた操作信号を生成する操作信号生成手段と、
所定の情報提供媒体から所定の情報を取得する情報取得手段と、
所定の情報を当該装置の利用者に対して認識可能に提供する情報提供手段と、
上記情報提供手段が提供する所定の情報を上記操作信号生成手段からの操作信号に応じて別の所定の情報に変更する制御、若しくは、上記情報提供手段が提供している所定の情報に対して上記操作信号生成手段からの操作信号に応じた変更を加える制御を行う提供情報変更制御手段と、
少なくとも、上記情報取得手段にて取得されて上記情報提供手段が提供している所定の情報を、上記近距離無線通信手段を介して上記他の通信端末へ送信させる通信制御手段と、
上記他の通信端末から切替要求を受けた後、上記情報提供手段へ供給する情報を、上記情報取得手段が取得した所定の情報から、上記近距離無線通信手段を通じて上記他の通信端末より送信されてきた情報へ切り替える情報切替制御手段とを有する
ことを特徴とする情報通信装置。
【請求項２】
請求項１記載の情報通信装置であって、
上記情報取得手段は、上記所定の情報提供媒体である所定の通信網を通じて、少なくとも上記所定の情報を受信する通信網接続手段を有する
ことを特徴とする情報通信装置。
【請求項３】
請求項２記載の情報通信装置であって、
上記通信網接続手段は、上記所定の通信網である無線電話回線を通じて上記所定の情報を受信する
ことを特徴とする情報通信装置。
【請求項４】
請求項１記載の情報通信装置であって、
上記情報取得手段は、上記所定の情報提供媒体である所定の記憶手段から上記所定の情報を読み出す情報読出制御手段を有する
ことを特徴とする情報通信装置。
【請求項５】
請求項１記載の情報通信装置であって、
上記情報提供手段は、画像を表示可能な画面を備えた表示手段を備え、上記所定の情報である画像情報を上記表示手段の画面上に表示することにより、上記利用者に対して上記所定の情報を提供する
ことを特徴とする情報通信装置。
【請求項６】
請求項１記載の情報通信装置であって、
上記情報提供手段は、音声出力手段を備え、上記所定の情報である音声情報を上記音声出力手段から出力することにより、上記利用者に対して所定の情報を提供する
ことを特徴とする情報通信装置。
【請求項７】
他の通信端末との間で近距離無線通信を行うための近距離無線通信手段と、
利用者からの操作入力を受け付け、その操作入力に応じたコマンド情報を生成するコマンド情報生成手段と、
所定の情報提供媒体から所定の情報を取得する情報取得手段と、
所定の情報を当該装置の利用者に対して認識可能に提供する情報提供手段と、
上記情報提供手段が提供する所定の情報をコマンド情報に応じて別の所定の情報に変更する制御、若しくは、上記情報提供手段が提供している所定の情報に対してコマンド情報に応じた変更を加える制御を行う提供情報変更制御手段と、
少なくとも、上記情報取得手段が取得した所定の情報と上記コマンド情報生成手段が生成したコマンド情報を、上記近距離無線通信手段を介して上記他の通信端末へ送信させる通信制御手段と、
上記他の通信端末から切替要求を受けた後、上記提供情報変更制御手段へ供給するコマンド情報を、上記コマンド情報生成手段が生成したコマンド情報から、上記近距離無線通信手段を介して上記他の通信端末から送信されてきたコマンド情報へ切り替えるコマンド切替制御手段とを有する
ことを特徴とする情報通信装置。
【請求項８】
請求項７記載の情報通信装置であって、
上記情報取得手段は、上記所定の情報提供媒体である所定の通信網を通じて、少なくとも上記所定の情報を受信する通信網接続手段を有する
ことを特徴とする情報通信装置。
【請求項９】
請求項８記載の情報通信装置であって、
上記通信網接続手段は、上記所定の通信網である無線電話回線を通じて上記所定の情報を受信する
ことを特徴とする情報通信装置。
【請求項１０】
請求項７記載の情報通信装置であって、
上記情報取得手段は、上記所定の情報提供媒体である所定の記憶手段から上記所定の情報を読み出す情報読出制御手段を有する
ことを特徴とする情報通信装置。
【請求項１１】
請求項７記載の情報通信装置であって、
上記情報提供手段は、画像を表示可能な画面を備えた表示手段を備え、上記所定の情報である画像情報を上記表示手段の画面上に表示することにより、上記利用者に対して上記所定の情報を提供する
ことを特徴とする情報通信装置。
【請求項１２】
請求項７記載の情報通信装置であって、
上記情報提供手段は、音声出力手段を備え、上記所定の情報である音声情報を上記音声出力手段から出力することにより、上記利用者に対して所定の情報を提供する
ことを特徴とする情報通信装置。
【請求項１３】
他の通信端末との間で近距離無線通信を行うための近距離無線通信手段と、
利用者からの操作入力を受け付け、その操作入力に応じたコマンド情報を生成するコマンド情報生成手段と、
所定の情報提供媒体から所定の情報を取得する情報取得手段と、
所定の情報を当該装置の利用者に対して認識可能に提供する情報提供手段と、
上記情報提供手段が提供する所定の情報をコマンド情報に応じて別の所定の情報に変更する制御、若しくは、上記情報提供手段が提供している所定の情報に対してコマンド情報に応じた変更を加える制御を行う提供情報変更制御手段と、
少なくとも、上記情報取得手段が取得した所定の情報と上記コマンド情報生成手段が生成したコマンド情報を、上記近距離無線通信手段を介して上記他の通信端末へ送信させる通信制御手段と、
上記他の通信端末から切替要求を受けた後、上記情報提供手段へ供給する情報を、上記情報取得手段が取得した所定の情報から、上記近距離無線通信手段を通じて上記他の通信端末から送信されてきた情報へ切り替えると共に、上記提供情報変更制御手段へ供給するコマンド情報を、上記コマンド情報生成手段が生成したコマンド情報から、上記近距離無線通信手段を通じて上記他の通信端末から送信されてきたコマンド情報へ切り替える切替制御手段とを有する
ことを特徴とする情報通信装置。
【請求項１４】
請求項１３記載の情報通信装置であって、
上記情報取得手段は、上記所定の情報提供媒体である所定の通信網を通じて、少なくとも上記所定の情報を受信する通信網接続手段を有する
ことを特徴とする情報通信装置。
【請求項１５】
請求項１４記載の情報通信装置であって、
上記通信網接続手段は、上記所定の通信網である無線電話回線を通じて上記所定の情報を受信する
ことを特徴とする情報通信装置。
【請求項１６】
請求項１３記載の情報通信装置であって、
上記情報取得手段は、上記所定の情報提供媒体である所定の記憶手段から上記所定の情報を読み出す情報読出制御手段を有する
ことを特徴とする情報通信装置。
【請求項１７】
請求項１３記載の情報通信装置であって、
上記情報提供手段は、画像を表示可能な画面を備えた表示手段を備え、上記所定の情報である画像情報を上記表示手段の画面上に表示することにより、上記利用者に対して上記所定の情報を提供する
ことを特徴とする情報通信装置。
【請求項１８】
請求項１３記載の情報通信装置であって、
上記情報提供手段は、音声出力手段を備え、上記所定の情報である音声情報を上記音声出力手段から出力することにより、上記利用者に対して所定の情報を提供する
ことを特徴とする情報通信装置。
【請求項１９】
他の通信端末との間で近距離無線通信を行うための近距離無線通信手段と、
上記近距離無線通信手段を通じて上記他の通信端末から送信されてきた所定の情報を少なくとも受信する通信制御手段と、
所定の情報を当該装置の利用者に対して認識可能に提供する情報提供手段と、
利用者からの操作入力を受け付け、その操作入力に応じた操作信号を生成する操作信号生成手段と、
所定の情報提供媒体から情報を取得する情報取得手段と、
上記他の通信端末へ切替要求を送信した後、上記情報提供手段へ供給する情報を、上記近距離無線通信手段を介して上記他の通信端末より送信されてきた所定の情報から、上記情報取得手段が取得した情報へ切り替える情報切替制御手段と、
上記他の通信端末への切替要求が送信された後は、上記情報提供手段が提供する情報を上記操作信号生成手段からの操作信号に応じて別の情報に変更する制御、若しくは、上記情報提供手段が提供している情報に対して上記操作信号生成手段からの操作信号に応じた変更を加える制御を行う提供情報変更制御手段とを有し、
上記他の通信端末への切替要求が送信された後、上記通信制御手段は、上記提供情報変更制御手段が上記操作信号生成手段からの操作信号に応じて変更した情報、若しくは、上記提供情報変更制御手段が上記操作信号生成手段からの操作信号に応じた変更を加えた情報を、上記近距離無線通信手段を通じて上記他の通信端末へ送信させる制御を行う
ことを特徴とする情報通信装置。
【請求項２０】
請求項１９記載の情報通信装置であって、
上記情報取得手段は、上記所定の情報提供媒体である所定の通信網を通じて、少なくとも上記所定の情報を受信する通信網接続手段を有する
ことを特徴とする情報通信装置。
【請求項２１】
請求項２０記載の情報通信装置であって、
上記通信網接続手段は、上記所定の通信網である無線電話回線を通じて上記所定の情報を受信する
ことを特徴とする情報通信装置。
【請求項２２】
請求項１９記載の情報通信装置であって、
上記情報取得手段は、上記所定の情報提供媒体である所定の記憶手段から上記所定の情報を読み出す情報読出制御手段を有する
ことを特徴とする情報通信装置。
【請求項２３】
請求項１９記載の情報通信装置であって、
上記情報提供手段は、画像を表示可能な画面を備えた表示手段を備え、上記所定の情報である画像情報を上記表示手段の画面上に表示することにより、上記利用者に対して上記所定の情報を提供する
ことを特徴とする情報通信装置。
【請求項２４】
請求項１９記載の情報通信装置であって、
上記情報提供手段は、音声出力手段を備え、上記所定の情報である音声情報を上記音声出力手段から出力することにより、上記利用者に対して所定の情報を提供する
ことを特徴とする情報通信装置。
【請求項２５】
他の通信端末との間で近距離無線通信を行うための近距離無線通信手段と、
上記近距離無線通信手段を通じて上記他の通信端末から送信されてきた所定の情報とコマンド情報を少なくとも受信する通信制御手段と、
所定の情報を当該装置の利用者に対して認識可能に提供する情報提供手段と、
上記情報提供手段が提供する情報に対して、上記通信制御手段が受信したコマンド情報に応じた変更を加える制御を行う提供情報変更制御手段と、
利用者からの操作入力を受け付け、その操作入力に応じたコマンド情報を生成するコマンド情報生成手段と、
上記他の通信端末へ切替要求を送信した後、上記提供情報変更制御手段が上記情報に変更を加えるためのコマンド情報を、上記通信制御手段が受信したコマンド情報から、上記コマンド情報生成手段が生成するコマンド情報に切り替えるコマンド情報切替手段とを有し、
上記他の通信端末への切替要求が送信された後の上記通信制御手段は、上記コマンド情報生成手段が生成したコマンド情報を、上記近距離無線通信手段を通じて上記他の通信端末へ送信させる制御を行う
ことを特徴とする情報通信装置。
【請求項２６】
請求項２５記載の情報通信装置であって、
所定の通信網を通じて、少なくとも上記所定の情報を受信する通信網接続手段を有し、
当該通信網接続手段が上記所定の通信網を通じて取得した所定の情報を、上記情報提供手段に供給する
ことを特徴とする情報通信装置。
【請求項２７】
請求項２６記載の情報通信装置であって、
上記通信網接続手段は、上記所定の通信網である無線電話回線を通じて上記所定の情報を受信する
ことを特徴とする情報通信装置。
【請求項２８】
請求項２５記載の情報通信装置であって、
所定の記憶手段から上記所定の情報を読み出す情報読出制御手段を有し、
当該情報読出制御手段が上記所定の記憶手段から読み出した所定の情報を、上記情報提供手段に供給する
ことを特徴とする情報通信装置。
【請求項２９】
請求項２５記載の情報通信装置であって、
上記情報提供手段は、画像を表示可能な画面を備えた表示手段を備え、上記所定の情報である画像情報を上記表示手段の画面上に表示することにより、上記利用者に対して上記所定の情報を提供する
ことを特徴とする情報通信装置。
【請求項３０】
請求項２５記載の情報通信装置であって、
上記情報提供手段は、音声出力手段を備え、上記所定の情報である音声情報を上記音声出力手段から出力することにより、上記利用者に対して所定の情報を提供する
ことを特徴とする情報通信装置。
【請求項３１】
他の通信端末との間で近距離無線通信を行うための近距離無線通信手段と、
上記近距離無線通信手段を通じて上記他の通信端末から送信されてきた所定の情報とコマンド情報を少なくとも受信する通信制御手段と、
所定の情報を当該装置の利用者に対して認識可能に提供する情報提供手段と、
上記情報提供手段が提供する情報に対して、上記通信制御手段が受信したコマンド情報に応じた変更を加える制御を行う提供情報変更制御手段と、
利用者からの操作入力を受け付け、その操作入力に応じたコマンド情報を生成するコマンド情報生成手段と、
所定の情報提供媒体から情報を取得する情報取得手段と、
上記他の通信端末へ切替要求を送信した後、上記情報提供手段へ供給する情報を、上記近距離無線通信手段を介して上記他の通信端末から送信されてきた所定の情報から、上記情報取得手段が取得した情報へ切り替えると共に、上記情報提供手段が提供する情報に対して上記提供情報変更制御手段が変更を加えるためのコマンド情報を、上記通信制御手段が受信したコマンド情報から、上記コマンド情報生成手段が生成するコマンド情報に切り替える情報切替手段とを有し、
上記他の通信端末への切替要求が送信された後の上記通信制御手段は、上記情報取得手段が取得した情報と上記コマンド情報生成手段が生成したコマンド情報を、上記近距離無線通信手段を通じて上記他の通信端末へ送信させる制御を行う
ことを特徴とする情報通信装置。
【請求項３２】
請求項３１記載の情報通信装置であって、
上記情報取得手段は、上記所定の情報提供媒体である所定の通信網を通じて、少なくとも上記所定の情報を受信する通信網接続手段を有する
ことを特徴とする情報通信装置。
【請求項３３】
請求項３２記載の情報通信装置であって、
上記通信網接続手段は、上記所定の通信網である無線電話回線を通じて上記所定の情報を受信する
ことを特徴とする情報通信装置。
【請求項３４】
請求項３１記載の情報通信装置であって、
上記情報取得手段は、上記所定の情報提供媒体である所定の記憶手段から上記所定の情報を読み出す情報読出制御手段を有する
ことを特徴とする情報通信装置。
【請求項３５】
請求項３１記載の情報通信装置であって、
上記情報提供手段は、画像を表示可能な画面を備えた表示手段を備え、上記所定の情報である画像情報を上記表示手段の画面上に表示することにより、上記利用者に対して上記所定の情報を提供する
ことを特徴とする情報通信装置。
【請求項３６】
請求項３１記載の情報通信装置であって、
上記情報提供手段は、音声出力手段を備え、上記所定の情報である音声情報を上記音声出力手段から出力することにより、上記利用者に対して所定の情報を提供する
ことを特徴とする情報通信装置。
【請求項３７】
少なくとも第１，第２の二つの情報通信装置により近距離無線通信のネットワークが構築された情報通信システムにおいて、
上記第１の情報通信装置は、当該装置の利用者からの操作入力に応じた変更制御が可能で且つ当該利用者に対して認識可能に提供されている所定の情報を、上記近距離無線通信により第２の情報通信装置へ転送し、
上記第２の情報通信装置は、上記近距離無線通信により上記第１の情報通信装置から転送されてきた上記所定の情報を当該装置の利用者に対して認識可能に提供し、
上記第２の情報通信装置は、上記第１の情報通信装置に対して上記近距離無線通信により切替要求を送信した後、当該装置の利用者からの操作入力に応じた変更制御が可能で且つ当該利用者に対して認識可能に提供された情報を、上記近距離無線通信により第１の情報通信装置へ転送し、
上記第２の情報通信装置からの切替要求を受信した後の上記第１の情報通信装置は、上記近距離無線通信により上記第２の情報通信装置から転送されてきた情報を、当該装置の利用者に対して認識可能に提供する
ことを特徴とする情報通信システム。
【請求項３８】
少なくとも第１，第２の二つの情報通信装置により近距離無線通信のネットワークが構築された情報通信システムにおいて、
上記第１の情報通信装置は、当該装置の利用者からの操作入力に応じた変更制御が可能で且つ当該利用者に対して認識可能に提供されている所定の情報と、上記利用者からの操作入力に応じたコマンド情報とを、上記近距離無線通信により第２の情報通信装置へ転送し、
上記第２の情報通信装置は、上記近距離無線通信により上記第１の情報通信装置から転送されてきた上記所定の情報を、必要に応じて上記コマンド情報により変更制御して、当該装置の利用者に対して認識可能に提供し、
上記第２の情報通信装置は、上記第１の情報通信装置に対して上記近距離無線通信により切替要求を送信した後、当該装置の利用者からの操作入力に応じたコマンド情報を、上記近距離無線通信により第１の情報通信装置へ転送し、
上記第２の情報通信装置からの切替要求を受信した後の上記第１の情報通信装置は、上記近距離無線通信により上記第２の情報通信装置から転送されてきたコマンド情報に応じて、当該装置の利用者に対して認識可能に提供する情報の変更制御を行う
ことを特徴とする情報通信システム。
【請求項３９】
少なくとも第１，第２の二つの情報通信装置により近距離無線通信のネットワークが構築された情報通信システムにおいて、
上記第１の情報通信装置は、当該装置の利用者からの操作入力に応じた変更制御が可能で且つ当該利用者に対して認識可能に提供されている所定の情報と、上記利用者からの操作入力に応じたコマンド情報とを、上記近距離無線通信により第２の情報通信装置へ転送し、
上記第２の情報通信装置は、上記近距離無線通信により上記第１の情報通信装置から転送されてきた上記所定の情報を、必要に応じて上記コマンド情報により変更制御して、当該装置の利用者に対して認識可能に提供し、
上記第２の情報通信装置は、上記第１の情報通信装置に対して上記近距離無線通信により切替要求を送信した後、当該装置の利用者からの操作入力に応じた変更制御が可能で且つ当該利用者に対して認識可能に提供された情報と、当該装置の利用者からの操作入力に応じたコマンド情報とを、上記近距離無線通信により第１の情報通信装置へ転送し、
上記第２の情報通信装置からの切替要求を受信した後の上記第１の情報通信装置は、上記近距離無線通信により上記第２の情報通信装置から転送されてきた情報に対して、上記第２の情報通信装置から転送されてきたコマンド情報に応じた変更制御を行い、当該装置の利用者に対して認識可能に提供する
ことを特徴とする情報通信システム。
【発明の詳細な説明】
【技術分野】
【０００１】
本発明は、少なくともディスプレイ上に画像を表示可能な携帯電話端末等に好適な情報通信装置及び情報通信システムに関する。
【背景技術】
【０００２】
近年は、携帯電話端末や通信機能付きＰＤＡ（Personal Digital Assistant）等の携帯型情報通信装置が広く普及している。それら携帯型の情報通信装置は、一般に、液晶ディスプレイ等の表示デバイスを備えており、その表示デバイスの画面上に、例えばテキストや静止画像，動画像等の様々な情報を表示可能となっている。
【０００３】
また、殆どの場合、それら携帯型情報通信装置は、インターネットへの接続及び閲覧機能や電子メールの作成及び送受信機能等をも備えており、したがって、それら機能の実行中には、上記インターネット上のウェブページや電子メールのテキストを上記表示デバイスの画面上に表示することが可能になっている。
【０００４】
更に、これらの機能の他に、携帯型情報信装置は、例えば内部メモリ或いは外付けの外部メモリに記憶された映像等を再生して表示デバイス上に表示させる機能を備えていることも多い。
【０００５】
なお、特開２００３−３４５６８９の公開特許公報（特許文献１）には、一方の端末から他方の端末へ情報を送信する場合において、一方の端末は、接続されたハードディスクドライブに記憶されているデータベースから、他方の端末のグローバルＩＰアドレスを読み出し、次に、当該一方の端末は、その読み出したグローバルＩＰアドレスに対して情報を送信し、他方の端末は、当該送信されてきた情報を受信し、その受信した情報に基づいて情報の更新等の処理を実行することにより、例えば、インターネットに接続された端末間で情報通信を行う際に、それら端末間の情報の授受を円滑にすることを可能にした情報処理装置及び方法、並びにプログラムが開示されている。
【０００６】
【特許文献１】特開２００３−３４５６８９号公報（第２図）
【発明の開示】
【発明が解決しようとする課題】
【０００７】
ところで、上述した携帯型の情報通信装置は、一般的に、各ユーザがそれぞれ個人で利用することを前提として作られているものであるため、例えば、インターネット上の同じウェブページを複数人が同時に閲覧するような場合には、それら複数人が、一つの携帯型情報通信装置の表示デバイス上の小さな画面を同時に覗き込むようにして閲覧しなければならなくなる。
【０００８】
勿論、例えば内部メモリ或いは外部メモリに記憶された映像等を再生して画面上に表示している場合も同様であり、その映像を複数人が同時に閲覧するためには、当該携帯型情報通信装置の画面を複数人が同時に覗き込まなければならなくなる。
【０００９】
また、一方の携帯型情報通信装置の画面上に例えばインターネット上のウェブページが表示されているような場合において、それと同じウェブページを他方の携帯型情報通信装置の画面上に表示させるためには、例えば、上記一方の携帯型情報通信装置から他方の携帯型情報通信装置へ、そのウェブサイトのＵＲＬ（Uniform Resource Locator）を転送するか、若しくは、当該他方の携帯型情報通信装置のユーザがそのウェブサイトのＵＲＬを直接入力した上で、上記他方の携帯型情報通信装置からそのウェブサイトへのアクセスを行い、そのサイトのウェブページを当該他方の携帯型情報通信装置の画面上に表示させるような操作が必要となる。
【００１０】
また例えば、一方の携帯型情報通信装置から他方の携帯型情報通信装置へ、或るウェブサイトのＵＲＬを転送若しくは直接入力により通知した後、上記一方の携帯型情報通信装置において、上記或るウェブサイトから幾つかのリンクを経ることなどにより、別のウェブサイトやコンテンツに辿り着いているような場合、それと同じウェブサイトやコンテンツを上記他方の携帯型情報通信装置の画面上に表示させるためには、当該他方の携帯型情報通信装置でも上記一方の携帯型情報通信装置で行われたのと同じように、幾つかのリンクを辿る操作が必要となる。
【００１１】
さらに例えば、その後上記他方の携帯型情報通信装置の画面上に別のサイトのウェブページが表示されるようになった場合において、今度は逆に、上記他方の携帯型情報通信装置の画面上に表示されているのと同じウェブページを、上記一方の携帯型情報通信装置の画面上に表示させるためには、当該一方の携帯型情報通信装置にて上述したのとは逆の操作等を行わなければならなくなる。
【００１２】
本発明は、このような課題に鑑みてなされたものであり、例えば、一つの情報通信装置の画面を覗き込むことなく、他の人がその情報通信装置の画面上に表示されている画像を閲覧できるようにし、また例えば、一方の情報通信装置の画面上にインターネット上のウェブページやコンテンツが表示されているような場合において、そのＵＲＬの転送や入力等を必要とせずに、他方の情報通信装置の画面上にそのウェブページやコンテンツを容易に表示させることを可能とし、更には、その逆に、他方の情報通信装置の画面上に表示されたウェブページやコンテンツを一方の情報通信装置の画面上に容易に表示させることを可能とする、情報通信装置及び情報通信システムを提供することを目的とする。
【課題を解決するための手段】
【００１３】
本発明の情報通信装置は、他の通信端末との間で近距離無線通信を行うための近距離無線通信手段と、利用者からの操作入力を受け付け当該操作入力に応じた操作信号を生成する操作信号生成手段と、所定の情報提供媒体から所定の情報を取得する情報取得手段と、所定の情報を当該装置の利用者に対して認識可能に提供する情報提供手段と、情報提供手段が提供する所定の情報を操作信号に応じて別の所定の情報に変更する制御、若しくは、情報提供手段が提供している所定の情報に対して操作信号に応じた変更を加える制御を行う提供情報変更制御手段と、少なくとも情報取得手段にて取得されて情報提供手段が提供している所定の情報を他の通信端末へ送信させる通信制御手段と、他の通信端末から切替要求を受けた後、情報提供手段へ供給する情報を、情報取得手段が取得した所定の情報から他の通信端末より送信されてきた情報へ切り替える情報切替制御手段とを有することにより、上述した課題を解決する。
【００１４】
また、本発明の情報通信装置は、他の通信端末との間で近距離無線通信を行うための近距離無線通信手段と、利用者からの操作入力を受け付けて当該操作入力に応じたコマンド情報を生成するコマンド情報生成手段と、所定の情報提供媒体から所定の情報を取得する情報取得手段と、所定の情報を当該装置の利用者に対して認識可能に提供する情報提供手段と、情報提供手段が提供する所定の情報をコマンド情報に応じて別の所定の情報に変更する制御、若しくは、情報提供手段が提供している所定の情報に対してコマンド情報に応じた変更を加える制御を行う提供情報変更制御手段と、少なくとも情報取得手段が取得した所定の情報とコマンド情報生成手段が生成したコマンド情報を他の通信端末へ送信させる通信制御手段と、他の通信端末から切替要求を受けた後、提供情報変更制御手段へ供給するコマンド情報を、コマンド情報生成手段が生成したコマンド情報から、他の通信端末から送信されてきたコマンド情報へ切り替えるコマンド切替制御手段とを有することにより、上述した課題を解決する。
【００１５】
また、本発明の情報通信装置は、他の通信端末との間で近距離無線通信を行うための近距離無線通信手段と、利用者からの操作入力を受け付けて当該操作入力に応じたコマンド情報を生成するコマンド情報生成手段と、所定の情報提供媒体から所定の情報を取得する情報取得手段と、所定の情報を当該装置の利用者に対して認識可能に提供する情報提供手段と、情報提供手段が提供する所定の情報をコマンド情報に応じて別の所定の情報に変更する制御、若しくは、情報提供手段が提供している所定の情報に対してコマンド情報に応じた変更を加える制御を行う提供情報変更制御手段と、少なくとも情報取得手段が取得した所定の情報とコマンド情報生成手段が生成したコマンド情報を近距離無線通信手段を介して他の通信端末へ送信させる通信制御手段と、他の通信端末から切替要求を受けた後、情報提供手段へ供給する情報を、情報取得手段が取得した所定の情報から、他の通信端末より送信されてきた情報へ切り替えると共に、提供情報変更制御手段へ供給するコマンド情報を、コマンド情報生成手段が生成したコマンド情報から、他の通信端末より送信されてきたコマンド情報へ切り替える切替制御手段とを有することにより、上述した課題を解決する。
【００１６】
また、本発明の情報通信装置は、他の通信端末との間で近距離無線通信を行うための近距離無線通信手段と、近距離無線通信手段を通じて他の通信端末から送信されてきた所定の情報を少なくとも受信する通信制御手段と、所定の情報を当該装置の利用者に対して認識可能に提供する情報提供手段と、利用者からの操作入力を受け付けて当該操作入力に応じた操作信号を生成する操作信号生成手段と、所定の情報提供媒体から情報を取得する情報取得手段と、他の通信端末へ切替要求を送信した後、情報提供手段へ供給する情報を、他の通信端末より送信されてきた所定の情報から情報取得手段が取得した情報へ切り替える情報切替制御手段と、他の通信端末への切替要求が送信された後は、情報提供手段が提供する情報を操作信号に応じて別の情報に変更する制御、若しくは、情報提供手段が提供している情報に対して操作信号に応じた変更を加える制御を行う提供情報変更制御手段とを有し、他の通信端末への切替要求が送信された後、通信制御手段は、提供情報変更制御手段が操作信号に応じて変更した情報、若しくは、提供情報変更制御手段が操作信号に応じた変更を加えた情報を、近距離無線通信手段を通じて他の通信端末へ送信させる制御を行うことにより、上述した課題を解決する。
【００１７】
また、本発明の情報通信装置は、他の通信端末との間で近距離無線通信を行うための近距離無線通信手段と、近距離無線通信手段を通じて他の通信端末から送信されてきた所定の情報とコマンド情報を少なくとも受信する通信制御手段と、所定の情報を当該装置の利用者に対して認識可能に提供する情報提供手段と、情報提供手段が提供する情報に対して、通信制御手段が受信したコマンド情報に応じた変更を加える制御を行う提供情報変更制御手段と、利用者からの操作入力を受け付けて当該操作入力に応じたコマンド情報を生成するコマンド情報生成手段と、他の通信端末へ切替要求を送信した後、提供情報変更制御手段が情報に変更を加えるためのコマンド情報を、通信制御手段が受信したコマンド情報から、コマンド情報生成手段が生成するコマンド情報に切り替えるコマンド情報切替手段とを有し、他の通信端末への切替要求が送信された後の通信制御手段は、コマンド情報生成手段が生成したコマンド情報を他の通信端末へ送信させる制御を行うことにより、上述した課題を解決する。
【００１８】
また、本発明の情報通信装置は、他の通信端末との間で近距離無線通信を行うための近距離無線通信手段と、近距離無線通信手段を通じて他の通信端末から送信されてきた所定の情報とコマンド情報を少なくとも受信する通信制御手段と、所定の情報を当該装置の利用者に対して認識可能に提供する情報提供手段と、情報提供手段が提供する情報に対して、通信制御手段が受信したコマンド情報に応じた変更を加える制御を行う提供情報変更制御手段と、利用者からの操作入力を受け付けて当該操作入力に応じたコマンド情報を生成するコマンド情報生成手段と、所定の情報提供媒体から情報を取得する情報取得手段と、他の通信端末へ切替要求を送信した後、情報提供手段へ供給する情報を、他の通信端末から送信されてきた所定の情報から、情報取得手段が取得した情報へ切り替えると共に、情報提供手段の提供する情報に対して提供情報変更制御手段が変更を加えるためのコマンド情報を、通信制御手段が受信したコマンド情報から、コマンド情報生成手段が生成するコマンド情報に切り替える情報切替手段とを有し、他の通信端末への切替要求が送信された後の通信制御手段は、情報取得手段が取得した情報とコマンド情報生成手段が生成したコマンド情報を、近距離無線通信手段を通じて他の通信端末へ送信させる制御を行うことにより、上述した課題を解決する。
【００１９】
また、本発明の情報通信システムは、少なくとも第１，第２の二つの情報通信装置により近距離無線通信のネットワークが構築された情報通信システムであり、先ず、第１の情報通信装置は、当該装置の利用者からの操作入力に応じた変更制御が可能で且つ当該利用者に対して認識可能に提供されている情報を第２の情報通信装置へ転送する。次に、第２の情報通信装置は、第１の情報通信装置から転送されてきた所定の情報を当該装置の利用者に対して認識可能に提供する。次に、第２の情報通信装置は、第１の情報通信装置に対して切替要求を送信した後、当該装置の利用者からの操作入力に応じた変更制御が可能で且つ当該利用者に対して認識可能に提供された情報を第１の情報通信装置へ転送する。そして、第２の情報通信装置からの切替要求を受信した後の第１の情報通信装置は、第２の情報通信装置から転送されてきた情報を、当該装置の利用者に対して認識可能に提供することにより、上述した課題を解決する。
【００２０】
また、本発明の情報通信システムは、少なくとも第１，第２の二つの情報通信装置により近距離無線通信のネットワークが構築された情報通信システムであり、先ず、第１の情報通信装置は、当該装置の利用者からの操作入力に応じた変更制御が可能で且つ当該利用者に対して認識可能に提供されている情報と、利用者からの操作入力に応じたコマンド情報とを、第２の情報通信装置へ転送する。次に、第２の情報通信装置は、第１の情報通信装置から転送されてきた所定の情報を、必要に応じて上記コマンド情報により変更制御して、当該装置の利用者に対して認識可能に提供する。次に、第２の情報通信装置は、第１の情報通信装置に対して切替要求を送信した後、当該装置の利用者からの操作入力に応じたコマンド情報を第１の情報通信装置へ転送する。そして、第２の情報通信装置からの切替要求を受信した後の第１の情報通信装置は、第２の情報通信装置から転送されてきたコマンド情報に応じて、当該装置の利用者に対して認識可能に提供する情報の変更制御を行うことにより、上述した課題を解決する。
【００２１】
また、本発明の情報通信システムは、少なくとも第１，第２の二つの情報通信装置により近距離無線通信のネットワークが構築された情報通信システムであり、先ず、第１の情報通信装置は、当該装置の利用者からの操作入力に応じた変更制御が可能で且つ当該利用者に対して認識可能に提供されている情報と、利用者からの操作入力に応じたコマンド情報とを、第２の情報通信装置へ転送する。次に、第２の情報通信装置は、第１の情報通信装置から転送されてきた上記所定の情報を、必要に応じてコマンド情報により変更制御して、当該装置の利用者に対して認識可能に提供する。次に、第２の情報通信装置は、第１の情報通信装置に対して切替要求を送信した後、当該装置の利用者からの操作入力に応じた変更制御が可能で且つ当該利用者に対して認識可能に提供された情報と、当該装置の利用者からの操作入力に応じたコマンド情報とを、第１の情報通信装置へ転送する。そして、第２の情報通信装置からの切替要求を受信した後の第１の情報通信装置は、第２の情報通信装置から転送されてきた情報に対して、第２の情報通信装置から転送されてきたコマンド情報に応じて変更制御を行い、当該装置の利用者に対して認識可能に提供することにより、上述した課題を解決する。
【００２２】
すなわち、本発明によれば、近距離無線通信のネットワークを形成している少なくとも二つの情報通信装置間において、一方の情報通信装置から他方の情報通信装置へ所定の情報を送信しているときには、その送信側の情報通信装置がマスターとなり、受信側（スレーブ側）の情報通信装置における情報提供を制御可能となっている。このため、マスター側の情報通信装置における情報提供に同期して、スレーブ側の情報通信装置でも情報提供が可能となる。
【００２３】
また、本発明によれば、マスターとスレーブは切り替え可能となされ、スレーブ側の情報通信装置からの切替要求により、そのスレーブ側であった情報通信装置はマスターとなり、逆に、マスター側であって情報通信装置はスレーブとなる。そして、そのマスター／スレーブ切り替え後にマスター側となった情報通信装置は、同じくマスター／スレーブ切り替え後にスレーブ側となった情報通信装置における情報提供を制御可能となっている。
【発明の効果】
【００２４】
本発明においては、少なくとも二つの情報通信装置により近距離無線通信のネットワークが構築され、一方の情報通信装置にて提供されている情報を他方の情報通信装置にも提供可能となされているため、例えば、一つの情報通信装置の画面を覗き込むことなく、他の人がその情報通信装置の画面上に表示されている画像等を閲覧できることになり、また例えば、一方の情報通信装置の画面上にインターネット上のウェブページやコンテンツが表示されているような場合において、そのＵＲＬの転送や入力等を必要とせずに、他方の情報通信装置の画面上にそのウェブページやコンテンツを容易に表示させることが可能である。
【００２５】
また、本発明においては、二つの情報通信装置間で、情報の送信側と受信側を切替可能となされているため、上述とは逆に、他方の情報通信装置の画面上に表示されたウェブページやコンテンツを、一方の情報通信装置の画面上に容易に表示させることが可能とである。
【発明を実施するための最良の形態】
【００２６】
以下、図面を参照しながら、本発明の情報通信装置及び情報通信システムの一実施形態について説明する。
【００２７】
なお、本実施形態では、本発明の情報通信装置及び情報通信システムの一例として、少なくともインターネット上のウェブサイトへの接続機能とそのサイトのウェブページの閲覧機能とを備えた携帯電話端末と、少なくとも二つの携帯電話端末により構成されたシステムとを挙げている。
【００２８】
勿論、ここで説明する内容はあくまで一例であり、本発明はこの例に限定されないことは言うまでもない。
【００２９】
〔携帯電話端末の概略的な内部構成〕
図１には、本実施形態の携帯電話端末１０の概略的な内部構成を示す。
【００３０】
通信アンテナ１３は、例えば内蔵アンテナであり、携帯電話回線網を通じて通話やパケット通信のための信号電波の送受信を行う。通信回路１２は、送受信信号の周波数変換、変調と復調等を行う。
【００３１】
なお、パケット通信により送受信されるデータは、ウェブサイトのＨＴＭＬ（HyperText Markup Language）データや画像データ、テキストデータ、電子メールデータ、プログラムデータ、その他の各種データである。
【００３２】
受信された通話音声のデータは、データラインを介して制御部１１へ送られる。制御部１１は、ＣＰＵ（中央処理装置）からなり、通話音声データを復号化し、その復号化後の音声データをデータラインを介してスピーカ２１へ送る。
【００３３】
スピーカ２１は、ディジタル／アナログ変換器と増幅器を含み、通話音声のデータをディジタル／アナログ変換及び増幅した後、出力する。これにより、通話音声が得られることになる。
【００３４】
また、本実施形態の場合、スピーカ２１は、着信，音楽用のディジタル／アナログ変換器と増幅器及びスピーカをも含み、着信音や音楽のデータをディジタル／アナログ変換及び増幅した後に出力する。
【００３５】
マイクロホン２２は、送話用のマイクロホンであり、アナログ／ディジタル変換器と増幅器を含む。このマイクロホン２２を介して入力された通話音声信号は、増幅器により所定のレベルに増幅された後、アナログ／ディジタル変換器によりディジタル音声データに変換され、データラインを介して制御部１１へ送られて符号化された後、通信回路１２へ送られ、さらに変調、周波数変換等の各種処理を受けた後、通信アンテナ１３から送信される。
【００３６】
表示部１４は、例えば液晶ディスプレイ等とそのディスプレイへの表示駆動回路とを含み、上記ディスプレイ上に画像等を表示するための表示デバイスである。
【００３７】
操作部１５は、本実施形態の携帯電話端末１０の図示しない筐体上に設けられているテンキーや発話キー、クリアキー、終話／電源キー、マナーキー、メモキーなどの各キー、ジョグダイアル部等と、それら各キー等の操作に応じた操作信号を発生する操作信号発生部とを有している。
【００３８】
メモリ１６は、ＲＯＭ（Read Only Memory）とＲＡＭ（Random Access Memory）を含む。
【００３９】
ＲＯＭは、ＯＳ（Operating System）、制御部１１が各部を制御するための制御プログラムや各種の初期設定値、フォントデータ、辞書データ、ウェブブラウザ用のプログラムコード、電子メールの作成や編集等を行うためのプログラムコード、電子ゲームを実行するためのゲームプログラム、画像に対して様々な処理を行うためのプログラムコード、その他、携帯電話端末１０に搭載される各種のアプリケーション用のプログラムコード、当該携帯電話端末１０の識別情報（ＩＤ）などを記憶している。また、このＲＯＭは、ＥＥＰＲＯＭ（Electrically Erasable Programmable Read-Only Memory）のような書き換え可能なＲＯＭを含み、閲覧したウェブページのデータ、電子メールデータ、電子ゲームの各種設定データ、ユーザにより設定される電話帳や電子メールアドレス、写真画像データ、ダウンロードされた写真データや着信音データ、音楽データ、文字データや予測変換の候補単語の登録データや予測変換の学習データ、その他、各種のユーザ設定値等を保存することも可能となされている。
【００４０】
ＲＡＭは、制御部１１が各種のデータ処理を行う際の作業領域として、随時データを格納する。
【００４１】
近距離通信制御部２３と近距離通信アンテナ２４は、いわゆるブルートゥース（BlueTooth）方式の近距離無線通信を行うためのデバイスである。
【００４２】
ここで、ブルートゥース方式は、２．４ＧＨｚ帯のディジタル無線通信を行うために規格化された近傍通信方式であり、当該ブルートゥース方式では、相互に通信が行われるデバイス間において、約１０ｍ程度の通信範囲でアドホックなネットワークが形成される。また、ブルートゥース方式のネットワークでは、相互に通信を行うデバイスがマスターかスレーブの何れかに設定される。事前にマスターに設定されたデバイスは、接続要求（Inquiry）に対する応答を通じてスレーブデバイスを検索し、そのストレージデバイスを通信対象として登録する。
【００４３】
なお、本実施形態における近距離無線通信は、上記ブルートゥースに限定されず、例えば赤外線通信（ＩｒＤＡ）やＵＷＢ（Ultra Wide Band）などであっても良い。
【００４４】
制御部１１は、上述した通話音声データの符号化や復号化の他、発着信の制御や、着信時の報知制御、ウェブサイトへの接続及びウェブページのブラウジング、電子メールの作成，編集や送受信、電子ゲームの実行、近距離通信制御部２３の制御、例えば圧縮符号化されている映像データや音楽データの伸長復号化等の再生処理、その他、制御ラインを介して当該携帯電話端末１０の各構成要素の制御、各種の演算処理を行う。
【００４５】
また例えば、近距離通信制御部２３と近距離通信アンテナ２４を介して、他の端末との間でブルートゥース方式の近距離無線通信ネットワークが構築され、例えば自端末がマスターデバイス側になっている場合には、制御部１１は、当該ブルートゥース方式のネットワークを介してコマンドを送信することにより、スレーブデバイス側となっている相手方の携帯電話端末の動作を制御することも可能となされている。
【００４６】
その他、図１には図示を省略しているが、本実施形態の携帯電話端末１０は、光学レンズや撮像素子等からなり制御部１１による制御の元で静止画や動画の撮影を行うカメラ部、着信等を振動にて報知するためのバイブレータ部、年月日時等の時間情報を発生する時計部、テレビジョン放送電波を受信及び復調等するためのテレビジョン放送受信部、ラジオ放送電波を受信して復調等するためのラジオ放送受信部、外部ケーブル用コネクタ、携帯電話端末１０の現在位置を検出するための測位デバイスであるＧＰＳ（Global Positioning System）通信部とそのアンテナ、例えば着脱可能な二次電池であるバッテリ、そのバッテリからの電力を各部へ供給するパワーマネージメントＩＣなどを備えている。
【００４７】
〔携帯電話端末間におけるウェブページの同期表示処理〕
ここで、本実施形態において、例えば二つの携帯電話端末間で上記ブルートゥース方式によるネットワークが形成されている場合、マスターデバイス側の携帯電話端末は、表示部１４の画面上に表示されている映像の表示データを、ブルートゥース方式による近距離通信ネットワークを介して、スレーブデバイス側の携帯電話端末へ転送可能となされており、また、スレーブデバイス側の携帯電話端末は、その表示データを表示部１４の画面上に表示可能となされている。
【００４８】
すなわち、例えばマスターデバイス側の携帯電話端末において、或るウェブサイトのページが画面上に表示されているような場合には、当該マスターデバイス側の携帯電話端末は、そのウェブページの表示データを、上記ブルートゥース方式による近距離通信ネットワークを介してスレーブデバイス側の携帯電話端末へ転送する。一方、スレーブデバイス側の携帯電話端末は、上記マスターデバイス側の携帯電話端末から転送されてきた表示データを、表示部１４の画面上に表示する。
【００４９】
これにより、本実施形態によれば、スレーブデバイス側の携帯電話端末のユーザは、マスターデバイス側の携帯電話端末の画面を覗き込むことなく、当該マスターデバイス側の携帯電話端末の画面上に表示されている画像を閲覧すること、つまり、スレーブデバイス側の携帯電話端末の画面を観ることにより、マスターデバイス側の携帯電話端末の画面上に表示されているのと同じ画像を閲覧することが可能となる。
【００５０】
図２には、上述のように、自端末で表示しているウェブページの表示データを、スレーブデバイス側の携帯電話端末へ転送する際のマスターデバイス側の携帯電話端末の処理フローチャートを示す。
【００５１】
また、図３には、マスターデバイス側の携帯電話端末から転送されてきた表示データを受け取り、自画面上に表示する際のスレーブデバイス側の携帯電話端末の処理フローチャートを示す。
【００５２】
なお、以下のフローチャートの処理は、主に制御部１１が行う処理である。また、以下の説明において、マスターデバイス側となる携帯電話端末を例えば携帯電話端末Ａとし、スレーブデバイス側となる携帯電話端末を例えば携帯電話端末Ｂとする。
【００５３】
〔マスターデバイス側の携帯電話端末の処理〕
先ず、図２のフローチャートから説明する。
【００５４】
図２において、マスターデバイス側となる携帯電話端末Ａの制御部１１は、ステップＳ１１の処理として、通信回路１２及び通信アンテナ１３を介し、携帯電話網を通じてインターネット網へ接続することにより、ユーザ所望のウェブサイトへアクセスし、パケット通信により当該サイトのウェブページのＨＴＭＬデータを取得する。
【００５５】
そして、当該携帯電話端末Ａの制御部１１は、そのウェブページのＨＴＭＬデータから表示画像を生成し、表示部１４の画面上に当該ウェブページの画像を表示させる。
【００５６】
これにより、この携帯電話端末Ａのユーザは、そのウェブページを閲覧できることになる。
【００５７】
ここで、マスターデバイス側となる携帯電話端末Ａの制御部１１は、ステップＳ１２の処理として、近距離通信制御部２３及び近距離通信アンテナ２４を介した近距離無線通信により、スレーブデバイス側となる携帯電話端末Ｂを、接続要求に対する応答を通じて検索し、その検索により得られた携帯電話端末Ｂをスレーブデバイス側となる通信対象として登録することにより、ブルートゥース通信のネットワークを確立する。
【００５８】
上記ブルートゥース通信のネットワークが確立すると、マスターデバイス側の携帯電話端末Ａの制御部１１は、ステップＳ１３の処理として、先のステップＳ１１にて生成している表示データを所定のタイミングで、近距離通信制御部２３及び近距離通信アンテナ２４を介した近距離無線通信により、スレーブデバイス側の携帯電話端末Ｂへ送信する。
【００５９】
なお、上記所定のタイミングとしては、例えば１／３０秒や１／１５秒，１／１０秒等のフレーム周期のタイミングであっても良いし、後述するように、操作部１４からのユーザ指示により表示データに変化があったタイミングでも良い。フレーム周期のタイミングを用いた場合には、近距離無線通信のデータ伝送速度や携帯電話端末内での処理速度を考慮して決定されたフレーム周期が用いられる。
【００６０】
またこの時、マスターデバイス側の携帯電話端末Ａの制御部１１は、ステップＳ１４の処理として、操作部１５からのキー入力信号により、例えば、表示画像のスクロール、リンクを辿ることによる別のウェブページやウェブサイトへのジャンプなどの指示が、ユーザによりなされたか否かを判断している。
【００６１】
そして、ユーザによる操作部１５を介したスクロール指示やジャンプ指示を受けた場合、当該マスターデバイス側の携帯電話端末Ａの制御部１１は、後述するステップＳ１５で「Ｎｏ（否）」と判断された場合に限りステップＳ１３へ処理を戻し、上記操作部１５からのユーザ指示による動作（スクロール，ページやサイトのジャンプなど）に応じた表示データを、スレーブデバイス側の携帯電話端末Ｂへ送信する処理を行う。
【００６２】
すなわち、例えばマスターデバイス側の携帯電話端末Ａにて画像のスクロールが行われた場合には、そのスクロールされた画像の表示データが上記所定のタイミングでスレーブデバイス側の携帯電話端末Ｂへ送信されることになる。
【００６３】
これにより、スレーブデバイス側の携帯電話端末Ｂの画面上には、上記マスターデバイス側の携帯電話端末Ａにて行われたのと同じようにスクロールされた画像が表示されることになる。
【００６４】
また、ステップＳ１５の処理に進んだ場合、マスターデバイス側の携帯電話端末Ａの制御部１１は、スレーブデバイス側の携帯電話端末Ｂからブルートゥース通信の切断要求が送られてきたか判定しており、切断要求が送られてきていない時にはステップＳ１３へ処理を戻す。
【００６５】
一方、切断要求が送られてきた場合、マスターデバイス側の携帯電話端末Ａの制御部１１は、当該図２に示したフローチャートの処理、すなわち、スレーブデバイス側の携帯電話端末Ｂへ表示データを転送するための処理を終了する。
【００６６】
〔スレーブデバイス側の携帯電話端末の処理〕
次に、図３のフローチャートの説明を行う。
【００６７】
図３において、スレーブデバイス側となる携帯電話端末Ｂの制御部１１は、先ず、ステップＳ２１の処理として、近距離通信制御部２３及び近距離通信アンテナ２４を用いた近距離無線通信により、上述したマスターデバイス側となる携帯電話端末Ａとの間で、接続要求に対する応答を通じてブルートゥース通信のネットワークを確立する。
【００６８】
上記ステップＳ２１にてブルートゥース通信のネットワークが確立すると、当該スレーブデバイス側の携帯電話端末Ｂの制御部１１は、ステップＳ２２の処理として、近距離通信アンテナ２４及び近距離通信制御部２３を通じてマスターデバイス側の携帯電話端末Ａから所定のタイミングで送られてくる表示データを受信し、その表示データから表示画像を生成して表示部１４の画面上に表示させる。
【００６９】
これにより、このスレーブデバイス側の携帯電話端末Ｂのユーザは、上記マスターデバイス側の携帯電話端末Ａの画面上に表示されているウェブページを、当該スレーブデバイス側の携帯電話端末Ｂの画面上で閲覧することができることになる。
【００７０】
そして、上記マスターデバイス側の携帯電話端末Ａにて例えば画像のスクロールが行われたような場合には、そのスクロールされた画像の表示データを当該スレーブデバイス側の携帯電話端末Ｂにて受信することになるため、このスレーブデバイス側の携帯電話端末Ｂの画面上には、上記マスターデバイス側の携帯電話端末Ａにて行われたのと同じようにスクロールされた画像が表示されることになる。
【００７１】
またこの時、当該スレーブデバイス側の携帯電話端末Ｂの制御部１１は、ステップＳ２３の処理として、操作部１５からのキー入力信号により、例えば、表示画像のスクロール、リンクを辿ることによる別のウェブページやウェブサイトへのジャンプなどの指示が、この携帯電話端末Ｂのユーザによりなされたか否かを判断している。
【００７２】
ここで、ユーザによる操作部１５を介したスクロール指示やジャンプ指示を受けていない場合、当該スレーブデバイス側の携帯電話端末Ｂの制御部１１は、ステップＳ２２へ処理を戻し、近距離通信アンテナ２４及び近距離通信制御部２３を通じてマスターデバイス側の携帯電話端末Ａから送られてくる表示データの受信と、その表示データから生成した画像の画面上への表示処理を続行する。
【００７３】
一方、ステップＳ２３において、操作部１５からのキー入力信号により、表示画像のスクロールやジャンプなどの指示がユーザによりなされたと判断した場合、当該スレーブデバイス側の携帯電話端末Ｂの制御部１１は、ステップＳ２４へ処理を進め、マスターデバイス側の携帯電話端末Ａに対してブルートゥース通信の切断を要求するための信号を生成し、その切断要求信号を、近距離通信制御部２３及び近距離通信アンテナ２４を通じてマスターデバイス側の携帯電話端末Ａへ送信する。
【００７４】
なお、本実施形態では、当該スレーブデバイス側の携帯電話端末Ｂにおいて、操作部１５からスクロールやジャンプなどの指示信号が入力された時に、上記マスターデバイス側の携帯電話端末Ａへ送信する切断要求信号を生成する例を挙げているが、勿論、操作部１５を介してユーザから切断要求を行う旨を明示的に指示する信号が入力された時に、上記マスターデバイス側の携帯電話端末Ａへ送信する切断要求信号を生成するようにしても良い。
【００７５】
次に、当該携帯電話端末Ｂの制御部１１は、ステップＳ２５の処理として、通信回路１２及び通信アンテナ１３を介し、携帯電話網を通じてインターネット網へ接続することにより、ユーザ所望のウェブサイトへアクセスし、パケット通信により当該サイトのウェブページのＨＴＭＬデータを取得する。
【００７６】
すなわちこの時の携帯電話端末Ｂの制御部１１は、先に携帯電話端末Ａから受信した表示データに含まれるリンク情報等と、ステップＳ２３にて操作部１５から入力されたユーザ指示とに基づいて、自らが例えばウェブサイトへアクセスして新たなウェブページのＨＴＭＬデータ等を取得する。
【００７７】
そして、制御部１１は、そのウェブページのＨＴＭＬデータから表示画像を生成し、表示部１４の画面上にそのウェブページの画像を表示させる。これにより、当該携帯電話端末Ｂのユーザは、所望のウェブページを閲覧できることになる。
【００７８】
その後、例えば操作部１５を介してユーザから通信終了の指示等が入力されたとき、当該携帯電話端末Ｂの制御部１１は、上記パケット通信を終了させ、当該図３に示したフローチャートの処理、すなわち当該携帯電話端末Ｂにおける閲覧表示のための処理を終了する。
【００７９】
〔マスターデバイス・スレーブデバイス間の通信シーケンス〕
次に、図４には、例えば二つの携帯電話端末（上記携帯電話端末Ａ，Ｂ）間で上記ブルートゥース方式によるネットワークを形成し、前述の図２及び図３のフローチャートで説明したように、マスターデバイス側の携帯電話端末Ａの画面上の映像表示データを、ブルートゥース方式による近距離通信ネットワークを通じて所定のタイミングでスレーブデバイス側の携帯電話端末Ｂへ転送するようにした場合のシーケンスを示す。
【００８０】
図４において、マスターデバイス側の携帯電話端末Ａは、図２のステップＳ１１にて、ユーザが所望したウェブサイトからウェブページのＨＴＭＬデータをパケット通信（Ｔ１）により取得すると共に、そのウェブページの画像を画面上に表示させる処理を行っている。
【００８１】
次に、図２のステップＳ１２及び図３のステップＳ２１の処理により、ブルートゥース通信のネットワークが確立（Ｔ２）される。この例では、携帯電話端末Ａがマスターデバイス側となり、一方、携帯電話端末Ｂがスレーブデバイス側となされる。
【００８２】
このようにブルートゥース通信のネットワークが確立（Ｔ２）されると、図２のステップＳ１３で説明したように、上記マスターデバイス側の携帯電話端末Ａにて画面上に現在表示している画像等の表示データが、所定のタイミングでスレーブデバイス側の携帯電話端末Ｂへ送信（Ｔ３）される。
【００８３】
また、マスターデバイス側の携帯電話端末Ａでは、図２のステップＳ１４で説明したユーザからのキー入力によるスクロールやジャンプ指示の取得（Ｔ４）がなされた場合、そのキー入力に応じた表示データが所定のタイミングでスレーブデバイス側の携帯電話端末Ｂへ送信（Ｔ５）される。
【００８４】
これらキー入力の取得（Ｔ４）と表示データの送信（Ｔ５）は、図２のステップＳ１５や図３のステップＳ２４で説明したような切断要求がスレーブデバイス側の携帯電話端末Ｂから送られてくるまで繰り返される。
【００８５】
そして、スレーブデバイス側の携帯電話端末Ｂにおいて、操作部１５からのキー入力（Ｔ６）により、表示画像のスクロールやジャンプなどの指示がユーザによりなされ、図３のステップＳ２４にてマスターデバイス側の携帯電話端末Ａへブルートゥース通信の切断要求信号が送信される（Ｔ７）と、当該携帯電話端末Ｂでは、図３のステップＳ２５のように、パケット通信（Ｔ８）によって、ユーザ所望のウェブサイトのウェブページのデータを取得し、その画像を画面上に表示する。
【００８６】
なお、上述の説明では、二つの携帯電話端末間でネットワークが形成され、マスターデバイス側の携帯電話端末とスレーブデバイス側の携帯電話端末が「一対一」に対応している例を挙げたが、一つのマスターデバイス側携帯電話端末から複数のスレーブデバイス側携帯電話端末へ表示データを同時に転送するような「一対多」のネットワーク構成の場合も、本発明は適用可能である。
【００８７】
以上のように、図２〜図４の例によれば、インターネット上の同じウェブページを例えば複数人が同時に閲覧するような場合であっても、それら各人の携帯電話端末の画面上に同じ映像が同期して表示されることになるため、複数人が一つの携帯電話端末の画面上を同時に覗き込むようなことが必要なくなり、各人はそれぞれ同じ映像を閲覧することができるようになる。
【００８８】
また、図２〜図４の例によれば、一方の携帯電話端末から他方の携帯電話端末に表示データが転送されるため、例えば一方の携帯電話端末から他方の携帯電話端末へウェブサイトのＵＲＬを転送したり、他方の携帯電話端末のユーザがＵＲＬを直接入力するような操作が不要となる。
【００８９】
さらに、図２〜図４の例によれば、例えば、一方の携帯電話端末Ａにおいて、或るウェブサイトから幾つかのリンクを経ることなどにより、別のウェブサイトやコンテンツに辿り着いているような場合でも、それと同じウェブサイトやコンテンツを他方の携帯電話端末Ｂの画面上に表示させることができるため、当該他方の携帯電話端末Ｂにて一方の携帯電話端末Ａで行われたような幾つかのリンクを辿るような操作は不要である。
【００９０】
また、図２〜図４の例によれば、マスターデバイス側の携帯電話端末からスレーブデバイス側の携帯電話端末へは、所定のタイミングで表示データが送信されるため、マスターデバイス側の携帯電話端末の画面上で動的に変化する画像を、スレーブデバイス側の携帯電話端末の画面上に同期させて表示することができる。
【００９１】
〔マスター／スレーブ切り替え処理〕
本発明実施形態では、例えば二つの携帯電話端末Ａ，Ｂ間で上記ブルートゥース方式によるネットワークを構築し、そのネットワークを介して表示データの送受信を行う場合において、以下に説明するように、表示データの送信側と受信側の切り替えを行うことも可能となされている。
【００９２】
すなわち例えば、一方の携帯電話端末Ａがマスターデバイス側となり、他方の携帯電話端末Ｂがスレーブデバイス側となっており、或るウェブサイトのウェブページの表示データを一方の携帯電話端末Ａから他方の携帯電話端末Ｂへ送信していた場合に、それらマスターとスレーブの関係を切り替えることにより、他方の携帯電話端末Ｂから一方の携帯電話端末Ａへ表示データを送信するような切り替え動作が可能となされている。
【００９３】
図５には、上述のように、マスターデバイス側である一方の携帯電話端末Ａで閲覧中のウェブページの表示データを、スレーブデバイス側である他方の携帯電話端末Ｂへ転送していた状態の後、マスターとスレーブの切り替えが行われ、上記他方の携帯電話端末Ｂがマスターデバイス側となり、上記一方の携帯電話端末Ａがスレーブデバイス側となることにより、上記他方の携帯電話端末Ｂから上記一方の携帯電話端末Ａへ表示データを転送するような切り替えがなされた場合における、上記一方の携帯電話端末Ａの処理のフローチャートを示す。
【００９４】
また、図６には、マスターデバイス側である一方の携帯電話端末Ａで閲覧中のウェブページの表示データを、スレーブデバイス側である他方の携帯電話端末Ｂへ転送していた状態の後、マスターとスレーブの切り替えが行われ、上記他方の携帯電話端末Ｂがマスターデバイス側となり、上記一方の携帯電話端末Ａがスレーブデバイス側となることにより、上記他方の携帯電話端末Ｂから上記一方の携帯電話端末Ａへ表示データを転送するような切り替えがなされた場合における、上記他方の携帯電話端末Ｂの処理のフローチャートを示す。
【００９５】
なお、以下のフローチャートの処理は、主に制御部１１が行う処理である。
【００９６】
また、以下の説明において、最初にマスターデバイス側となる一方の携帯電話端末（後のマスター／スレーブ切り替えによりスレーブデバイス側となる携帯電話端末）を例えば携帯電話端末Ａとし、最初にスレーブデバイス側となる他方の携帯電話端末（後のマスター／スレーブ切り替えによりマスターデバイス側となる携帯電話端末）を例えば携帯電話端末Ｂとしている。
【００９７】
〔マスターからスレーブへの切替処理〕
先ず、図５のフローチャートから説明する。
【００９８】
図５において、最初にマスターデバイス側となる携帯電話端末Ａ（後のマスター／スレーブ切り替えによりスレーブデバイス側となる携帯電話端末Ａ）の制御部１１は、ステップＳ３１の処理として、通信回路１２及び通信アンテナ１３を介し、携帯電話網を通じてインターネット網へ接続することにより、ユーザ所望のウェブサイトへアクセスし、パケット通信により当該サイトのウェブページのＨＴＭＬデータを取得する。
【００９９】
そして、当該携帯電話端末Ａの制御部１１は、そのウェブページのＨＴＭＬデータから表示画像を生成し、表示部１４の画面上にそのウェブページの画像を表示させる。
【０１００】
これにより、当該携帯電話端末Ａのユーザは、そのウェブページを閲覧できることになる。
【０１０１】
次に、当該最初にマスターデバイス側となる携帯電話端末Ａの制御部１１は、近距離通信制御部２３及び近距離通信アンテナ２４を介した近距離無線通信により、ステップＳ３２の処理として、スレーブデバイス側となる携帯電話端末Ｂ（後のマスター／スレーブ切り替えによりマスターデバイス側となる携帯電話端末Ｂ）を、接続要求に対する応答を通じて検索し、当該検索により得られた携帯電話端末Ｂをスレーブデバイス側となる通信対象として登録することにより、ブルートゥース通信のネットワークを確立する。
【０１０２】
上記ブルートゥース通信のネットワークが確立すると、上記マスターデバイス側の携帯電話端末Ａの制御部１１は、ステップＳ３３の処理として、ステップＳ３１にて生成している表示データを所定のタイミングにて、スレーブデバイス側の携帯電話端末Ｂへ送信する。
【０１０３】
なお、この例においても、上記所定のタイミングとしては、フレーム周期や表示データに変化があったタイミングを挙げることができ、フレーム周期を採用した場合には、近距離無線通信のデータ伝送速度や携帯電話端末内での処理速度を考慮して決定されたフレーム周期が用いられる。
【０１０４】
またこの時、マスターデバイス側の携帯電話端末Ａの制御部１１は、ステップＳ３４の処理として、操作部１５からのキー入力信号により、例えば、表示画像のスクロール、リンクを辿ることによる別のウェブページやウェブサイトへのジャンプなどの指示が、ユーザによりなされたか否かを判断している。
【０１０５】
そして、ユーザによる操作部１５を介したスクロール指示やジャンプ指示を受けた場合、当該マスターデバイス側の携帯電話端末Ａの制御部１１は、後述するステップＳ３５で「Ｎｏ（否）」と判断された場合に限りステップＳ３３へ処理を戻し、上記操作部１５からのユーザ指示による動作（スクロール，ページやサイトのジャンプ）に応じた表示データを、所定のタイミングで上記スレーブデバイス側の携帯電話端末Ｂへ送信する処理を行う。
【０１０６】
また、ステップＳ３５の処理に進んだ場合、マスターデバイス側の携帯電話端末Ａの制御部１１は、スレーブデバイス側の携帯電話端末Ｂから、ブルートゥース通信のマスター／スレーブ切替要求がなされていないか判定しており、マスター／スレーブ切替要求がなされていない時には、ステップＳ３３へ処理を戻し、一方、マスター／スレーブ切替要求がなされた場合には、ステップＳ３６へ処理を進める。
【０１０７】
なお、この図５のステップＳ３５では、前述の図２のフローチャートのステップＳ１５のようなブルートゥース通信の切断要求の判定を行っても良いが、ここではその説明は省略する。
【０１０８】
ステップＳ３６の処理に進むと、当該マスターデバイス側の携帯電話端末Ａとスレーブデバイス側の携帯電話端末Ｂとの間では、ブルートゥース通信のネットワークのマスター／スレーブ切り替え処理が行われる。この例の場合は、先にマスターデバイス側となっていた携帯電話端末Ａがスレーブデバイス側に切り替わり、一方、先にスレーブデバイス側となっていた携帯電話端末Ｂがマスターデバイス側に切り替わったネットワークが再構築される。
【０１０９】
このように、携帯電話端末Ｂがマスターデバイス側となり、携帯電話端末Ａがスレーブデバイス側となるネットワークが確立されると、スレーブデバイス側となった携帯電話端末Ａの制御部１１は、ステップＳ３７の処理として、近距離通信アンテナ２４及び近距離通信制御部２３を通じてマスターデバイス側の携帯電話端末Ｂから所定のタイミングで送られてくる表示データを受信し、その表示データから表示画像を生成して表示部１４の画面上に表示させる。
【０１１０】
これにより、このスレーブデバイス側となった携帯電話端末Ａのユーザは、マスターデバイス側となった携帯電話端末Ｂの画面上に表示されているウェブページを、当該携帯電話端末Ａの画面上で閲覧することができることになる。
【０１１１】
そして、上記マスターデバイス側の携帯電話端末Ｂにて例えば画像のスクロールが行われたような場合には、そのスクロールされた画像の表示データが当該スレーブデバイス側の携帯電話端末Ａにて受信されることになるため、このスレーブデバイス側の携帯電話端末Ａの画面上には、上記マスターデバイス側の携帯電話端末Ｂにて行われたのと同じようにスクロールされた画像が表示されることになる。
【０１１２】
またこの時、当該スレーブデバイス側となった携帯電話端末Ａの制御部１１は、ステップＳ３８の処理として、操作部１５からのキー入力信号により、例えば、表示画像のスクロール、リンクを辿ることによる別のウェブページやウェブサイトへのジャンプなどの指示が、ユーザによりなされたか否かを判断している。
【０１１３】
ここで、ユーザによる操作部１５を介したスクロール指示やジャンプ指示を受けていない場合、当該スレーブデバイス側となった携帯電話端末Ａの制御部１１は、ステップＳ３７へ処理を戻し、近距離通信アンテナ２４及び近距離通信制御部２３を通じてマスターデバイス側となった携帯電話端末Ｂから送られてくる表示データの受信と、その表示データから生成した画像の表示処理を行う。
【０１１４】
一方、ステップＳ３８において、操作部１５からのキー入力信号により、表示画像のスクロールやジャンプなどの指示がユーザによりなされたと判断した場合、当該スレーブデバイス側となった携帯電話端末Ａの制御部１１は、ステップＳ３９へ処理を進め、マスターデバイス側となった携帯電話端末Ｂに対してブルートゥース通信の切断を要求するための信号を生成し、その切断要求信号を、近距離通信制御部２３及び近距離通信アンテナ２４を介してマスターデバイス側の携帯電話端末Ｂへ送信する。
【０１１５】
その後、当該携帯電話端末Ａの制御部１１は、ステップＳ４０の処理として、通信回路１２及び通信アンテナ１３を介し、携帯電話網を通じてインターネット網へ接続することにより、ユーザ所望のウェブサイトへアクセスし、パケット通信により当該サイトのウェブページのＨＴＭＬデータを取得する。
【０１１６】
そして、制御部１１は、そのウェブページのＨＴＭＬデータから表示画像を生成し、表示部１４の画面上にそのウェブページの画像を表示させる。これにより、当該携帯電話端末Ａのユーザは、所望のウェブページを閲覧できることになる。
【０１１７】
その後、例えば操作部１５を介してユーザから通信終了の指示等が入力されたとき、当該携帯電話端末Ａの制御部１１は、上記パケット通信を終了させ、当該図５に示したフローチャートの処理、すなわち当該携帯電話端末Ａにおける閲覧表示のための処理を終了する。
【０１１８】
なお、詳細については後に詳述するが、上記ステップＳ３９の際には、後述の図６のステップＳ５４以降にて説明するように、当該スレーブデバイス側となった携帯電話端末Ａが再びマスターデバイス側となるためのマスター／スレーブ切替要求を、この時点でマスターデバイス側となっている携帯電話端末Ｂに対して行うことも可能である。
【０１１９】
〔スレーブからマスターへの切替処理〕
次に、図６のフローチャートの説明を行う。
【０１２０】
図６において、最初にスレーブデバイス側となる携帯電話端末Ｂ（後のマスター／スレーブ切り替えによりマスターデバイス側となる携帯電話端末Ｂ）の制御部１１は、先ず、ステップＳ５１の処理として、近距離通信制御部２３及び近距離通信アンテナ２４を通じた近距離無線通信により、上述した最初にマスターデバイス側となる携帯電話端末Ａと通信し、ブルートゥース通信のネットワークを確立する。
【０１２１】
上記ステップＳ５１にてブルートゥース通信のネットワークが確立すると、当該スレーブデバイス側の携帯電話端末Ｂの制御部１１は、ステップＳ５２の処理として、近距離通信アンテナ２４及び近距離通信制御部２３を通じてマスターデバイス側の携帯電話端末Ａから所定のタイミングで送られてくる表示データを受信し、その表示データから表示画像を生成して表示部１４の画面上に表示させる。
【０１２２】
これにより、このスレーブデバイス側の携帯電話端末Ｂのユーザは、マスターデバイス側の携帯電話端末Ａの画面上に表示されているウェブページ等を、当該スレーブデバイス側の携帯電話端末Ｂの画面上で閲覧することができることになる。
【０１２３】
そして、上記マスターデバイス側の携帯電話端末Ａにて例えば画像のスクロールが行われたような場合には、そのスクロールされた画像の表示データが当該スレーブデバイス側の携帯電話端末Ｂにて受信されることになるため、このスレーブデバイス側の携帯電話端末Ｂの画面上には、上記マスターデバイス側の携帯電話端末Ａにて行われたのと同じようにスクロールされた画像が表示されることになる。
【０１２４】
またこの時、当該スレーブデバイス側の携帯電話端末Ｂの制御部１１は、ステップＳ５３の処理として、操作部１５からのキー入力信号により、例えば、表示画像のスクロール、リンクを辿ることによる別のウェブページやウェブサイトへのジャンプなどの指示が、ユーザによりなされたか否かを判断している。
【０１２５】
ここで、ユーザによる操作部１５を介したスクロール指示やジャンプ指示を受けていない場合、当該スレーブデバイス側の携帯電話端末Ｂの制御部１１は、ステップＳ５２へ処理を戻し、近距離通信アンテナ２４及び近距離通信制御部２３を介してマスターデバイス側の携帯電話端末Ａから送られてくる表示データの受信と、その表示データから生成した画像の表示処理を行う。
【０１２６】
一方、ステップＳ５３において、操作部１５からのキー入力信号により、表示画像のスクロールやジャンプなどの指示がユーザによりなされたと判断した場合、当該スレーブデバイス側の携帯電話端末Ｂの制御部１１は、ステップＳ５４へ処理を進め、先ず、マスターデバイス側の携帯電話端末Ａに対してブルートゥース通信のマスター／スレーブ切り替えを要求するための信号を生成し、そのマスター／スレーブ切替要求信号を、近距離通信制御部２３及び近距離通信アンテナ２４を介してマスターデバイス側の携帯電話端末Ａへ送信する。
【０１２７】
なお、本実施形態では、当該スレーブデバイス側の携帯電話端末Ｂにおいて、操作部１５からスクロールやジャンプなどの指示信号が入力された時に、上記マスターデバイス側の携帯電話端末Ａへ送信するマスター／スレーブ切替要求信号を生成する例を挙げているが、勿論、操作部１５を介してユーザからマスター／スレーブ切替要求を行う旨を明示的に指示する信号が入力された時に、上記マスターデバイス側の携帯電話端末Ａへ送信するマスター／スレーブ切替要求信号を生成するようにしても良い。
【０１２８】
また、この図６のステップＳ５４では、前述の図３のフローチャートのステップＳ２４のようなブルートゥース通信の切断要求の判定を行っても良いが、ここではその説明は省略する。
【０１２９】
次に、ステップＳ５５の処理に進むと、当該スレーブデバイス側の携帯電話端末Ｂとマスターデバイス側の携帯電話端末Ａとの間では、ブルートゥース通信のネットワークのマスター／スレーブ切り替え処理が行われる。この例の場合には、携帯電話端末Ｂがマスターデバイス側となり、携帯電話端末Ａがスレーブデバイス側となるネットワークが再構築される。
【０１３０】
このように、携帯電話端末Ｂがマスターデバイス側となり、携帯電話端末Ａがスレーブデバイス側となったネットワークが確立されると、マスターデバイス側となった携帯電話端末Ｂの制御部１１は、ステップＳ５６の処理として、通信回路１２及び通信アンテナ１３を介し、携帯電話網を通じてインターネット網へ接続することにより、ユーザ所望のウェブサイトへアクセスし、パケット通信により当該サイトのウェブページのＨＴＭＬデータを取得する。
【０１３１】
すなわちこの場合の携帯電話端末Ｂの制御部１１は、先に携帯電話端末Ａから受信した表示データに含まれるリンク情報等と、ステップＳ５３にて操作部１５から入力されたユーザ指示とに基づいて、自らが例えばウェブサイトへアクセスして新たなウェブページのＨＴＭＬデータ等を取得する。
【０１３２】
そして、制御部１１は、そのウェブページのＨＴＭＬデータから表示画像を生成し、表示部１４の画面上にそのウェブページの画像を表示させる。これにより、当該携帯電話端末のユーザは、所望のウェブページを閲覧できることになる。
【０１３３】
次に、当該マスターデバイス側となった携帯電話端末Ｂの制御部１１は、近距離通信制御部２３及び近距離通信アンテナ２４を通じた近距離無線通信により、ステップＳ５７の処理として、ステップＳ５６にて生成している表示データを、スレーブデバイス側となった携帯電話端末Ａへ送信する。
【０１３４】
これにより、当該スレーブデバイス側となった携帯電話端末Ａのユーザは、マスターデバイス側となった携帯電話端末Ｂの画面上に表示されているウェブページ等を、当該スレーブデバイス側の携帯電話端末Ａの画面上で閲覧することができることになる。
【０１３５】
そして、上記マスターデバイス側となった携帯電話端末Ｂにて例えば画像のスクロールが行われたような場合には、そのスクロールされた画像の表示データが当該スレーブデバイス側となった携帯電話端末Ａにて受信されることになるため、このスレーブデバイス側の携帯電話端末Ａの画面上には、上記マスターデバイス側の携帯電話端末Ｂにて行われたのと同じようにスクロールされた画像が表示されることになる。
【０１３６】
またこの時、マスターデバイス側となった携帯電話端末Ｂの制御部１１は、ステップＳ５８の処理として、操作部１５からのキー入力信号により、例えば、表示画像のスクロール、リンクを辿ることによる別のウェブページやウェブサイトへのジャンプなどの指示が、ユーザによりなされたか否かを判断している。
【０１３７】
そして、ユーザによる操作部１５を介したスクロール指示やジャンプ指示を受けた場合、当該マスターデバイス側となった携帯電話端末Ｂの制御部１１は、後述するステップＳ５９で「Ｎｏ（否）」と判断された場合に限りステップＳ５７へ処理を戻し、上記操作部１５からのユーザ指示に応じた動作（スクロール，ページやサイトのジャンプ）による表示データを、所定のタイミングにてスレーブデバイス側となった携帯電話端末Ａへ送信する処理を行う。
【０１３８】
また、ステップＳ５９の処理に進んだ場合、マスターデバイス側となった携帯電話端末Ｂの制御部１１は、スレーブデバイス側となった携帯電話端末Ａから、ブルートゥース通信の切断要求がなされていないか判定しており、切断要求がなされていない時には、ステップＳ５７へ処理を戻し、一方、切断要求がなされた場合には、当該図６に示したフローチャートの処理、すなわち、スレーブデバイス側の携帯電話端末Ａへ表示データを転送するための処理を終了する。
【０１３９】
なお、このステップＳ５９において、マスターデバイス側となった携帯電話端末Ｂの制御部１１は、図５のステップＳ３５の処理と同様に、スレーブデバイス側となった携帯電話端末Ａから、ブルートゥース通信のマスター／スレーブ切替要求がなされていないか判定することを行っても良いが、ここではその説明は省略する。
【０１４０】
〔マスター／スレーブ切替処理時におけるデバイス間の通信シーケンス〕
次に、図７には、二つの携帯電話端末（例えば携帯電話端末Ａ，Ｂ）間で上記ブルートゥース方式によるネットワークが構築され、前述の図５及び図６のフローチャートで説明したように、マスターデバイス側の携帯電話端末Ａの画面上の映像表示データを、ブルートゥース方式による近距離通信ネットワークを通じてスレーブバイス側の携帯電話端末Ｂへ転送するようにし、その後、マスター／スレーブの切り替えがなされ、マスターデバイス側となった携帯電話端末Ｂの画面上の映像表示データをスレーブバイス側となった携帯電話端末Ａへ転送するようにした場合のシーケンスを示す。
【０１４１】
図７において、最初にマスターデバイス側となった携帯電話端末Ａは、図５のステップＳ３１にて、ユーザ所望のウェブサイトからウェブページのＨＴＭＬデータをパケット通信（Ｔ１１）により取得すると共に、そのウェブページの画像を画面上に表示させる処理を行う。
【０１４２】
次に、図５のステップＳ３２及び図６のステップＳ５１の処理により、ブルートゥース通信のネットワークが確立（Ｔ１２）され、携帯電話端末Ａが最初にマスターデバイス側となり、一方、携帯電話端末Ｂがスレーブデバイス側となされると、図５のステップＳ３３及び図６のステップＳ５２で説明したように、上記マスターデバイス側となった携帯電話端末Ａの画面上に現在表示している画像等の表示データが、所定のタイミングでスレーブデバイス側となった携帯電話端末Ｂへ送信（Ｔ１３）される。
【０１４３】
また、マスターデバイス側の携帯電話端末Ａでは、図５のステップＳ３４で説明したユーザからのキー入力によるスクロールやジャンプ指示の取得（Ｔ１４）と、そのキー入力に応じた表示データのスレーブデバイス側携帯電話端末Ｂへの送信（Ｔ１５）とが、図５のステップＳ３５や図６のステップＳ５４で説明したように、スレーブデバイス側の携帯電話端末Ｂからマスター／スレーブ切替要求が送られてくるまで繰り返される。
【０１４４】
そして、スレーブデバイス側となっている携帯電話端末Ｂにおいて、操作部１５からのキー入力（Ｔ１６）により、表示画像のスクロールやジャンプなどの指示がユーザによりなされ、図５のステップＳ３５及び図６のステップＳ５４のように、スレーブデバイス側の携帯電話端末Ｂからマスターデバイス側の携帯電話端末Ａへマスター／スレーブ切替要求信号が送信されると、当該マスターデバイス側の携帯電話端末Ａとスレーブデバイス側の携帯電話端末Ｂとの間では、ブルートゥース通信のネットワークのマスター／スレーブ切り替え処理（Ｔ１７）が行われる。この例の場合は、携帯電話端末Ａがスレーブデバイス側に切り替わり、携帯電話端末Ｂがマスターデバイス側に切り替わったネットワークが再構築される。
【０１４５】
このように、携帯電話端末Ｂがマスターデバイス側となり、携帯電話端末Ａがスレーブデバイス側となるネットワークが確立されると、マスターデバイス側となった携帯電話端末Ｂでは、図６のステップＳ５６のように、パケット通信（Ｔ１８）が開始される。
【０１４６】
そして、図６のステップＳ５７及び図５のステップＳ３７で説明したように、上記マスターデバイス側となった携帯電話端末Ｂが画面上に現在表示している画像等の表示データが、所定のタイミングでスレーブデバイス側となった携帯電話端末Ａへ送信（Ｔ１９）される。
【０１４７】
次に、マスターデバイス側となった携帯電話端末Ｂでは、図６のステップＳ５８で説明したように、ユーザからのキー入力によるスクロールやジャンプ指示の取得（Ｔ２０）と、そのキー入力に応じた表示データのスレーブデバイス側携帯電話端末Ａへの送信（Ｔ１９）とが、図５のステップＳ３９や図６のステップＳ５９で説明したように、スレーブデバイス側となった携帯電話端末Ａから切断要求が送られてくるまで繰り返される。
【０１４８】
そして、スレーブデバイス側となった携帯電話端末Ａにおいて、操作部１５からのキー入力（Ｔ２１）により、表示画像のスクロールやジャンプなどの指示がユーザによりなされ、図５のステップＳ３９にてマスターデバイス側となった携帯電話端末Ｂへブルートゥース通信の切断要求信号が送信される（Ｔ２２）と、当該携帯電話端末Ａでは、図５のステップＳ４０のように、パケット通信（Ｔ２３）によって、ユーザ所望のウェブサイトのウェブページのデータを取得し、その画像を画面上に表示する。
【０１４９】
なお、上述の図５〜図７の説明では、二つの携帯電話端末間でネットワークが形成され、マスターデバイス側の携帯電話端末とスレーブデバイス側の携帯電話端末が「一対一」に対応している例を挙げたが、一つのマスターデバイス側携帯電話端末から複数のスレーブデバイス側携帯電話端末へ表示データを同時に転送するような「一対多」のネットワーク構成において、複数のスレーブデバイス側携帯電話端末のうちの一つがマスターデバイス側携帯電話端末に切り替わる場合にも、本発明は適用可能である。
【０１５０】
以上のように、図５〜図７の例によれば、インターネット上の同じウェブページを複数人が同時に閲覧するような場合であっても、それら各人の携帯電話端末の画面上に同期して同じ映像が表示されることになるため、複数人が一つの携帯電話端末の画面上を同時に覗き込むようなことを行わなくても、各人はそれぞれ同じ映像を閲覧することができるようになる。
【０１５１】
また、図５〜図７の例によれば、一方の携帯電話端末から他方の携帯電話端末に表示データが転送されるため、例えば一方の携帯電話端末から他方の携帯電話端末へウェブサイトのＵＲＬを転送したり、他方の携帯電話端末のユーザがＵＲＬを直接入力するような操作が不要となる。
【０１５２】
また、図５〜図７の例によれば、例えば、一方の携帯電話端末において、或るウェブサイトから幾つかのリンクを経ることなどにより、別のウェブサイトやコンテンツに辿り着いているような場合でも、それと同じウェブサイトやコンテンツを他方の携帯電話端末Ｂの画面上に表示させることができるため、当該他方の携帯電話端末にて一方の携帯電話端末で行われたような幾つかのリンクを辿る操作は不要である。
【０１５３】
さらに、図５〜図７の例によれば、マスター／スレーブの切り替えが可能であるため、例えば他方の携帯電話端末Ｂの画面上に別のサイトのウェブページが表示されるようになった場合において、今度は逆に、上記他方の携帯電話端末Ｂの画面上に表示されているのと同じウェブページを、上記一方の携帯電話端末Ａの画面上に表示させるようなことが容易に行えるようになる。
【０１５４】
また、図５〜図７の例によれば、マスターデバイス側の携帯電話端末からスレーブデバイス側の携帯電話端末へは、所定のタイミングで表示データが送信されるため、マスターデバイス側の携帯電話端末の画面上で動的に変化する画像を、スレーブデバイス側の携帯電話端末の画面上に同期させて表示することができることになる。
【０１５５】
〔マスターデバイスからのコマンドによるスレーブデバイス制御処理〕
本発明実施形態では、上述したように、例えば二つの携帯電話端末Ａ，Ｂ間で上記ブルートゥース方式によるネットワークを構築し、そのネットワークを介して表示データの送受信を行う場合において、表示データの送信側と受信側の切り替えと共に、以下に説明するように、マスターデバイス側の携帯電話端末の制御部１１からコマンドを発行することにより、スレーブデバイス側の携帯電話端末の例えば画像表示を制御することも可能となされている。
【０１５６】
すなわち、本実施形態においては、上記マスターデバイス側の携帯電話端末からスレーブデバイス側の携帯電話端末へ送信される表示データは、前述の図２〜図７の例で説明したような所定のタイミングで送信されるのではなく、後述するように、新たな表示データとなった時に必要に応じて送信されるようになされており、更に、マスターデバイス側の携帯電話端末からスレーブデバイス側の携帯電話端末へコマンドが送信されることにより、当該スレーブデバイス側の携帯電話端末の画面上の画像をマスターデバイス側の携帯電話端末が制御できるようになされている。また、本実施形態では、前述の図５〜図７の例と同様に、マスターとスレーブの関係を切り替え可能となされている。
【０１５７】
図８には、マスターデバイス側である一方の携帯電話端末Ａで閲覧中のウェブページの表示データを、スレーブデバイス側である他方の携帯電話端末Ｂへ転送した後、マスターとスレーブの切り替えが行われて上記他方の携帯電話端末Ｂがマスターデバイス側となり、上記一方の携帯電話端末Ａがスレーブデバイス側となることにより、上記他方の携帯電話端末Ｂから上記一方の携帯電話端末Ａへ表示データを転送するような切り替えがなされると共に、マスターデバイス側の携帯電話端末からのコマンドにより、スレーブデバイス側の携帯電話端末が制御される場合における、上記一方の携帯電話端末Ａの処理のフローチャートを示す。
【０１５８】
また、図９には、マスターデバイス側である一方の携帯電話端末Ａで閲覧中のウェブページの表示データを、スレーブデバイス側である他方の携帯電話端末Ｂへ転送していた状態の後、マスターとスレーブの切り替えが行われ、上記他方の携帯電話端末Ｂがマスターデバイス側となり、上記一方の携帯電話端末Ａがスレーブデバイス側となることにより、上記他方の携帯電話端末Ｂから上記一方の携帯電話端末Ａへ表示データを転送するような切り替えがなされると共に、マスターデバイス側の携帯電話端末からのコマンドによりスレーブデバイス側の携帯電話端末が制御される場合における、上記他方の携帯電話端末Ｂの処理のフローチャートを示す。
【０１５９】
なお、以下のフローチャートの処理は、主に制御部１１が行う処理である。また、以下の説明において、最初にマスターデバイス側となる一方の携帯電話端末（後のマスター／スレーブ切り替えによりスレーブデバイス側となる携帯電話端末）を例えば携帯電話端末Ａとし、最初にスレーブデバイス側となる他方の携帯電話端末（後のマスター／スレーブ切り替えによりマスターデバイス側となる携帯電話端末）を例えば携帯電話端末Ｂとしている。
【０１６０】
〔マスターからスレーブへの切替とコマンド制御の処理〕
先ず、図８のフローチャートから説明する。
【０１６１】
図８において、最初にマスターデバイス側となる携帯電話端末Ａの制御部１１は、ステップＳ６１の処理として、通信回路１２及び通信アンテナ１３を介し、携帯電話網を通じてインターネット網へ接続することにより、ユーザ所望のウェブサイトへアクセスし、パケット通信により当該サイトのウェブページのＨＴＭＬデータを取得する。
【０１６２】
そして、当該携帯電話端末Ａの制御部１１は、そのウェブページのＨＴＭＬデータから表示画像を生成し、表示部１４の画面上にそのウェブページの画像を表示させる。
【０１６３】
これにより、当該携帯電話端末Ａのユーザは、そのウェブページを閲覧できることになる。
【０１６４】
次に、当該最初にマスターデバイス側となる携帯電話端末Ａの制御部１１は、近距離通信制御部２３及び近距離通信アンテナ２４を通じた近距離無線通信により、ステップＳ６２の処理として、スレーブデバイス側となる携帯電話端末Ｂを、接続要求に対する応答を通じて検索し、当該検索により得られた携帯電話端末Ｂをスレーブデバイス側となる通信対象として登録ことにより、ブルートゥース通信のネットワークを確立する。
【０１６５】
上記ブルートゥース通信のネットワークが確立すると、マスターデバイス側の携帯電話端末Ａの制御部１１は、ステップＳ６３の処理として、ステップＳ６１にて生成した表示データを、スレーブデバイス側の携帯電話端末Ｂへ送信する。
【０１６６】
次に、マスターデバイス側の携帯電話端末Ａの制御部１１は、ステップＳ６４の処理として、操作部１５からのキー入力信号により、例えば、表示画像のスクロール、リンクを辿ることによる別のウェブページやウェブサイトへのジャンプなどの指示が、ユーザによりなされたか否かを判断している。
【０１６７】
そして、ユーザによる操作部１５を介したスクロール指示やジャンプ指示を受けた場合、当該マスターデバイス側の携帯電話端末Ａの制御部１１は、ステップＳ６５へ処理を進める。
【０１６８】
また、ステップＳ６５の処理に進んだ場合、マスターデバイス側の携帯電話端末Ａの制御部１１は、スレーブデバイス側の携帯電話端末Ｂから、ブルートゥース通信のマスター／スレーブ切替要求がなされていないか判定しており、マスター／スレーブ切替要求がなされていない時には、ステップＳ６６へ処理を進め、一方、マスター／スレーブ切替要求がなされた場合には、ステップＳ６８へ処理を進める。
【０１６９】
なお、この図８のステップＳ６５では、前述の図２のフローチャートのステップＳ１５のようなブルートゥース通信の切断要求の判定を行っても良いが、ここではその説明は省略する。
【０１７０】
ステップＳ６６の処理に進んだ場合、当該マスターデバイス側となっている携帯電話端末Ａの制御部１１は、ステップＳ６４によるユーザからの指示に応じた動作（スクロール，ページやサイトのジャンプ）を行うことによって、表示部１４の画面上に新たな映像を表示することになるか否か、つまり、既に取得済みの表示データとは異なる画像を表示するための新たな表示データが必要になるか否かを判断する。
【０１７１】
ここで、新たな表示データが必要になると判断した場合、当該マスターデバイス側の携帯電話端末Ａの制御部１１は、ステップＳ６３へ処理を戻し、当該新たな表示データをパケット通信にて取得して画面上に表示させると共に、その新たな表示データをスレーブデバイス側の携帯電話端末Ｂへ送信させる。
【０１７２】
これにより、スレーブデバイス側の携帯電話端末Ｂの画面上には、マスターデバイス側の携帯電話端末Ａの画面上に表示された新たな画像と同じ新たな画像が表示されることになる。
【０１７３】
一方、ステップＳ６６において新たな表示データが必要ないと判断した場合、当該マスターデバイス側の携帯電話端末Ａの制御部１１は、ステップＳ６７の処理として、先のステップＳ６４にて取得したユーザからの指示による動作（スクロール，ページやサイトのジャンプ）に応じた画面表示制御を行うと共に、スレーブデバイス側の携帯電話端末Ｂに対しても同じ画面表示制御を行うためのコマンドを生成し、そのコマンドをスレーブデバイス側の携帯電話端末Ｂへ送信した後、ステップＳ６４の処理に戻る。
【０１７４】
すなわち、例えばマスターデバイス側の携帯電話端末Ａにて画像のスクロールが行われた場合には、スレーブデバイス側の携帯電話端末Ｂへは、当該画像スクロールを実行させるためのコマンドが送信されることになる。
【０１７５】
これにより、スレーブデバイス側の携帯電話端末Ｂの画面上では、上記マスターデバイス側の携帯電話端末Ａにて行われたのと同じようにスクロールされた画像が表示されることになる。
【０１７６】
また、ステップＳ６５からステップＳ６８の処理に進んだ場合は、当該マスターデバイス側の携帯電話端末Ａとスレーブデバイス側の携帯電話端末Ｂとの間で、ブルートゥース通信のネットワークのマスター／スレーブ切り替え処理が行われる。この例の場合は、携帯電話端末Ａがスレーブデバイス側となり、携帯電話端末Ｂがマスターデバイス側となるネットワークが再構築される。
【０１７７】
このように、携帯電話端末Ｂがマスターデバイス側となり、携帯電話端末Ａがスレーブデバイス側となるネットワークが確立されると、スレーブデバイス側となった携帯電話端末Ａの制御部１１は、ステップＳ６９の処理として、近距離通信アンテナ２４及び近距離通信制御部２３を介してマスター側の携帯電話端末Ｂから送られてきた表示データを受信し、その表示データから表示画像を生成して表示部１４の画面上に表示させる。
【０１７８】
これにより、このスレーブデバイス側となった携帯電話端末Ａのユーザは、マスターデバイス側となった携帯電話端末Ｂの画面上に表示されたウェブページを、当該携帯電話端末Ａの画面上で閲覧することができることになる。
【０１７９】
さらにこの時、マスターデバイス側となった携帯電話端末Ｂからコマンドが送られてきた場合、当該スレーブデバイス側となった携帯電話端末Ａの制御部１１は、ステップＳ７０の処理として、そのコマンドを受信すると共に、当該コマンドに基づいて、表示部１４の画面上の映像のスクロールやジャンプ等の処理を行う。
【０１８０】
すなわち、マスターデバイス側となった携帯電話端末Ｂにて例えば画像のスクロールが行われた場合には、スレーブデバイス側となった携帯電話端末Ａへは、当該画像スクロールを実行させるためのコマンドが送信されることになる。
【０１８１】
これにより、スレーブデバイス側の携帯電話端末Ａの画面上では、上記マスターデバイス側の携帯電話端末Ｂにて行われたのと同じようにスクロールされた画像が表示されることになる。
【０１８２】
また、当該スレーブデバイス側となった携帯電話端末Ａの制御部１１は、ステップＳ７１の処理として、操作部１５からのキー入力信号により、例えば、表示画像のスクロール、リンクを辿ることによる別のウェブページやウェブサイトへのジャンプなどの指示が、ユーザによりなされたか否かを判断している。
【０１８３】
ここで、ユーザから操作部１５を介したスクロール指示やジャンプ指示を受けていない場合、当該スレーブデバイス側となった携帯電話端末Ａの制御部１１は、ステップＳ６９へ処理を戻し、近距離通信アンテナ２４及び近距離通信制御部２３を通じてマスターデバイス側となった携帯電話端末Ｂから送られてくる表示データやコマンドの受信と、その表示データから生成した表示画像の表示やコマンドに応じた表示制御の処理を行う。
【０１８４】
一方、ステップＳ７１において、操作部１５からのキー入力信号により、表示画像のスクロールやジャンプなどの指示がユーザによりなされたと判断した場合、当該スレーブデバイス側となった携帯電話端末Ａの制御部１１は、ステップＳ７２へ処理を進め、マスターデバイス側となった携帯電話端末Ｂに対してブルートゥース通信の切断を要求するための信号を生成し、その切断要求信号を、近距離通信制御部２３及び近距離通信アンテナ２４を通じてマスターデバイス側の携帯電話端末Ｂへ送信する。
【０１８５】
その後、当該携帯電話端末Ａの制御部１１は、ステップＳ７３の処理として、通信回路１２及び通信アンテナ１３を介し、携帯電話網を通じてインターネット網へ接続することにより、ユーザ所望のウェブサイトへアクセスし、パケット通信により当該サイトのウェブページのＨＴＭＬデータを取得する。
【０１８６】
そして、制御部１１は、そのウェブページのＨＴＭＬデータから表示画像を生成し、表示部１４の画面上にそのウェブページの画像を表示させる。
【０１８７】
これにより、当該携帯電話端末Ａのユーザは、所望のウェブページを閲覧できることになる。
【０１８８】
その後、例えば操作部１５を介してユーザから通信終了の指示等が入力されたとき、当該携帯電話端末Ａの制御部１１は、上記パケット通信を終了させ、当該図８に示したフローチャートの処理、すなわち当該携帯電話端末Ａにおける閲覧表示のための処理を終了する。
【０１８９】
なお、詳細については後に詳述するが、上記ステップＳ７２の際には、後述の図９のステップＳ８５以降にて説明するように、当該スレーブデバイス側となった携帯電話端末Ａが再びマスターデバイス側となるためのマスター／スレーブ切替要求を、この時点でマスターデバイス側となっている携帯電話端末Ｂに対して行うことも可能である。
【０１９０】
〔スレーブからマスターへの切替とコマンド制御処理〕
次に、図９のフローチャートの説明を行う。
【０１９１】
図９において、最初にスレーブデバイス側となる携帯電話端末Ｂの制御部１１は、先ず、ステップＳ８１の処理として、近距離通信制御部２３及び近距離通信アンテナ２４を通じた近距離無線通信により、上述した最初にマスターデバイス側となる携帯電話端末Ａと通信し、ブルートゥース通信のネットワークを確立する。
【０１９２】
上記ステップＳ８１にてブルートゥース通信のネットワークが確立すると、当該スレーブデバイス側の携帯電話端末Ｂの制御部１１は、ステップＳ８２の処理として、近距離通信アンテナ２４及び近距離通信制御部２３を介してマスターデバイス側の携帯電話端末Ａから送られてきた表示データ、さらにステップＳ８３にて必要に応じて送られてくるコマンドを受信し、上記表示データから表示画像を生成して表示部１４の画面上に表示させると共に、上記コマンドを受信した時には当該コマンドに応じたスクロール等の表示制御を行う。
【０１９３】
これにより、このスレーブデバイス側の携帯電話端末Ｂのユーザは、マスターデバイス側の携帯電話端末Ａの画面上に表示されているウェブページを、当該スレーブデバイス側の携帯電話端末Ｂの画面上で閲覧することができることになると共に、当該スレーブデバイス側の携帯電話端末Ｂの画面上に、マスターデバイス側の携帯電話端末Ａのユーザによるスクロール等の操作が反映された画像を表示させることができるようになる。
【０１９４】
また、当該スレーブデバイス側の携帯電話端末Ｂの制御部１１は、ステップＳ８４の処理として、操作部１５からのキー入力信号により、例えば、表示画像のスクロール、リンクを辿ることによる別のウェブページやウェブサイトへのジャンプなどの指示が、ユーザによりなされたか否かを判断している。
【０１９５】
ここで、ユーザから操作部１５を介したスクロール指示やジャンプ指示を受けていない場合、当該スレーブデバイス側の携帯電話端末Ｂの制御部１１は、ステップＳ８２へ処理を戻し、近距離通信アンテナ２４及び近距離通信制御部２３を通じてマスターデバイス側の携帯電話端末Ａから送られてくる表示データやコマンドの受信と、その表示データから生成した表示画像の表示の処理、及び、コマンドに基づく表示制御を行う。
【０１９６】
一方、ステップＳ８４において、操作部１５からのキー入力信号により、表示画像のスクロールやジャンプなどの指示がユーザによりなされたと判断した場合、当該スレーブデバイス側の携帯電話端末Ｂの制御部１１は、ステップＳ８５へ処理を進め、マスターデバイス側の携帯電話端末Ａに対してブルートゥース通信のマスター／スレーブ切り替えを要求するための信号を生成し、そのマスター／スレーブ切替要求信号を、近距離通信制御部２３及び近距離通信アンテナ２４を介してマスターデバイス側の携帯電話端末Ａへ送信する。
【０１９７】
なお、本実施形態では、当該スレーブデバイス側の携帯電話端末Ｂにおいて、操作部１５からスクロールやジャンプなどの指示信号が入力された時に、上記マスターデバイス側の携帯電話端末Ａへ送信するマスター／スレーブ切替要求信号を生成する例を挙げているが、勿論、操作部１５を介してユーザからマスター／スレーブ切替要求を行う旨を明示的に指示する信号が入力された時に、上記マスターデバイス側の携帯電話端末Ａへ送信するマスター／スレーブ切替要求信号を生成するようにしても良い。
【０１９８】
また、この図９のステップＳ５４では、前述の図３のフローチャートのステップＳ２４のようなブルートゥース通信の切断要求の判定を行っても良いが、ここではその説明は省略する。
【０１９９】
次に、ステップＳ８６の処理に進むと、当該スレーブデバイス側の携帯電話端末Ｂとマスターデバイス側の携帯電話端末Ａとの間では、ブルートゥース通信のネットワークのマスター／スレーブ切り替え処理が行われる。この例の場合には、携帯電話端末Ｂがマスターデバイス側となり、携帯電話端末Ａがスレーブデバイス側となるネットワークが再構築される。
【０２００】
携帯電話端末Ｂがマスターデバイス側となり、携帯電話端末Ａがスレーブデバイス側となるネットワークが確立されると、上記マスターデバイス側となった携帯電話端末Ｂの制御部１１は、ステップＳ８７の処理として、通信回路１２及び通信アンテナ１３を介し、携帯電話網を通じてインターネット網へ接続することにより、ユーザ所望のウェブサイトへアクセスし、パケット通信により当該サイトのウェブページのＨＴＭＬデータを取得する。
【０２０１】
そして、制御部１１は、そのウェブページのＨＴＭＬデータから表示画像を生成し、表示部１４の画面上にそのウェブページの画像を表示させる。これにより、当該携帯電話端末のユーザは、所望のウェブページを閲覧できることになる。
【０２０２】
次に、当該マスターデバイス側となった携帯電話端末Ｂの制御部１１は、近距離通信制御部２３及び近距離通信アンテナ２４を通じた近距離無線通信により、ステップＳ８８の処理として、ステップＳ８７にて生成した表示データを、スレーブデバイス側となった携帯電話端末Ａへ送信する。
【０２０３】
またこの時、マスターデバイス側となった携帯電話端末Ｂの制御部１１は、ステップＳ８９の処理として、操作部１５からのキー入力信号により、例えば、表示画像のスクロール、リンクを辿ることによる別のウェブページやウェブサイトへのジャンプなどの指示が、ユーザによりなされたか否かを判断している。
【０２０４】
そして、ユーザによる操作部１５を介したスクロール指示やジャンプ指示を受けた場合、当該マスターデバイス側となった携帯電話端末Ｂの制御部１１は、ステップＳ９０へ処理を進める。
【０２０５】
また、ステップＳ９０の処理に進んだ場合、マスターデバイス側となった携帯電話端末Ｂの制御部１１は、スレーブデバイス側となった携帯電話端末Ａから、ブルートゥース通信の切断要求がなされていないか判定しており、切断要求がなされていない時には、ステップＳ９１へ処理を進め、一方、切断要求がなされた場合には、当該図９に示したフローチャートの処理、すなわち、スレーブデバイス側の携帯電話端末Ａへ表示データを転送するための処理を終了する。
【０２０６】
なお、このステップＳ９０において、マスターデバイス側となった携帯電話端末Ｂの制御部１１は、図８のステップＳ６５の処理と同様に、スレーブデバイス側となった携帯電話端末Ａから、ブルートゥース通信のマスター／スレーブ切替要求がなされていないか判定することを行っても良いが、ここではその説明は省略する。
【０２０７】
ステップＳ９１の処理に進んだ場合、当該マスターデバイス側となった携帯電話端末Ｂの制御部１１は、ステップＳ８９によるユーザからの指示に応じた動作（スクロール，ページやサイトのジャンプ）を行うことによって、表示部１４の画面上に新たな映像を表示することになるか否か、つまり、既に取得済みの表示データとは異なる画像を表示するための新たな表示データが必要になるか否かを判断する。
【０２０８】
ここで、新たな表示データが必要になると判断した場合、当該マスターデバイス側の携帯電話端末Ｂの制御部１１は、ステップＳ８８へ処理を戻し、当該新たな表示データをパケット通信にて取得して画面上に表示させると共に、その新たな表示データをスレーブデバイス側の携帯電話端末Ａへ送信させる。
【０２０９】
これにより、スレーブデバイス側の携帯電話端末Ａの画面上には、マスターデバイス側の携帯電話端末Ｂの画面上に表示された新たな画像と同じ新たな画像が表示されることになる。
【０２１０】
一方、ステップＳ９１において新たな表示データが必要ないと判断した場合、当該マスターデバイス側の携帯電話端末Ｂの制御部１１は、ステップＳ９２の処理として、先のステップＳ８９にて取得したユーザからの指示による動作（スクロール，ページやサイトのジャンプ）に応じた画面表示制御を行うと共に、スレーブデバイス側の携帯電話端末Ａに対しても同じ画面表示制御を行うためのコマンドを生成し、そのコマンドをスレーブデバイス側の携帯電話端末Ａへ送信した後、ステップＳ８９の処理に戻る。
【０２１１】
すなわち、例えばマスターデバイス側の携帯電話端末Ｂにて画像のスクロールが行われた場合には、スレーブデバイス側の携帯電話端末Ａへは、当該画像スクロールを実行させるためのコマンドが送信されることになる。
【０２１２】
これにより、スレーブデバイス側の携帯電話端末Ａの画面上では、上記マスターデバイス側の携帯電話端末Ｂにて行われたのと同じようにスクロールされた画像が表示されることになる。
【０２１３】
〔マスター／スレーブ切替処理とコマンド処理時におけるデバイス間の通信シーケンス〕
次に、図１０には、二つの携帯電話端末（携帯電話端末Ａ，Ｂ）間で上記ブルートゥース方式によるネットワークが形成され、前述の図８及び図９のフローチャートで説明したように、マスターデバイス側の携帯電話端末Ａの画面上の映像の表示データを、ブルートゥース方式による近距離通信ネットワークを介してスレーブバイス側の携帯電話端末Ｂへ転送するようにし、その後、マスター／スレーブの切り替えがなされ、マスターデバイス側となった携帯電話端末Ｂの画面上の映像の表示データをスレーブバイス側となった携帯電話端末Ａへ転送すると共に、コマンドによる表示制御を行うようにした場合のシーケンスを示す。
【０２１４】
図１０において、最初にマスターデバイス側となった携帯電話端末Ａは、図８のステップＳ６１にて、ユーザ所望のウェブサイトからウェブページのＨＴＭＬデータをパケット通信（Ｔ３１）により取得すると共に、そのウェブページの画像を画面上に表示させる処理を行う。
【０２１５】
次に、図８のステップＳ６２及び図９のステップＳ８１の処理により、ブルートゥース通信のネットワークが確立（Ｔ３２）され、携帯電話端末Ａが最初にマスターデバイス側となり、一方、携帯電話端末Ｂがスレーブデバイス側となされると、図８のステップＳ６３及び図９のステップＳ８２で説明したように、上記マスターデバイス側となった携帯電話端末Ａの画面上に現在表示している画像等の表示データが、スレーブデバイス側となった携帯電話端末Ｂへ送信（Ｔ３）される。
【０２１６】
また、図８のステップＳ６７及び図９のステップＳ８３で説明したように、マスターデバイス側の携帯電話端末Ａからコマンドを送信する必要がある場合には、スレーブデバイス側の携帯電話端末Ｂへ当該コマンドが送信（Ｔ３４）される。
【０２１７】
次に、マスターデバイス側の携帯電話端末Ａでは、図８のステップＳ６４で説明したユーザからのキー入力によるスクロールやジャンプ指示の取得（Ｔ３５）と、そのキー入力に応じた新たな表示データの送信（Ｔ３６）やコマンドの送信（Ｔ３７）とが、図８のステップＳ６５や図９のステップＳ８５で説明したように、スレーブデバイス側の携帯電話端末Ｂからマスター／スレーブ切替要求が送られてくるまで繰り返される。
【０２１８】
そして、スレーブデバイス側となっている携帯電話端末Ｂにおいて、操作部１５からのキー入力（Ｔ３８）により、表示画像のスクロールやジャンプなどの指示がユーザによりなされ、図８のステップＳ６８及び図９のステップＳ８６のように、スレーブデバイス側の携帯電話端末Ｂからマスターデバイス側の携帯電話端末Ａへマスター／スレーブ切替要求信号が送信されると、当該マスターデバイス側の携帯電話端末Ａとスレーブデバイス側の携帯電話端末Ｂとの間では、ブルートゥース通信のネットワークのマスター／スレーブ切り替え処理（Ｔ３９）が行われる。この例の場合は、携帯電話端末Ａがスレーブデバイス側に切り替わり、携帯電話端末Ｂがマスターデバイス側に切り替わったネットワークが再構築される。
【０２１９】
このように、携帯電話端末Ｂがマスターデバイス側となり、携帯電話端末Ａがスレーブデバイス側となるネットワークが確立されると、マスターデバイス側となった携帯電話端末Ｂでは、図９のステップＳ８７のように、パケット通信（Ｔ４０）が開始される。
【０２２０】
そして、図９のステップＳ８８及び図８のステップＳ６９で説明したように、上記マスターデバイス側となった携帯電話端末Ｂから、表示データがスレーブデバイス側となった携帯電話端末Ａへ送信（Ｔ４１）される。
【０２２１】
また、図８のステップＳ７０及び図９のステップＳ９２で説明したように、マスターデバイス側の携帯電話端末Ｂからコマンドを送信する必要がある場合には、スレーブデバイス側の携帯電話端末Ａへ当該コマンドが送信（Ｔ４２）される。
【０２２２】
次に、マスターデバイス側の携帯電話端末Ｂでは、図９のステップＳ８９で説明したように、ユーザからのキー入力によるスクロールやジャンプ指示の取得（Ｔ４３）と、そのキー入力に応じた新たな表示データの送信（Ｔ４１）やコマンドの送信（Ｔ４２）とが、図９のステップＳ９０及び図８のステップＳ７２で説明したように、スレーブデバイス側携帯電話端末Ａから切断要求（Ｔ４５）が送られてくるまで繰り返される。
【０２２３】
そして、スレーブデバイス側となった携帯電話端末Ａにおいて、操作部１５からのキー入力（Ｔ４４）により、表示画像のスクロールやジャンプなどの指示がユーザによりなされ、図８のステップＳ７２にてマスターデバイス側となった携帯電話端末Ｂへブルートゥース通信の切断要求信号が送信される（Ｔ４５）と、当該携帯電話端末Ａでは、図８のステップＳ７３のように、パケット通信（Ｔ４６）によって、ユーザ所望のウェブサイトのウェブページのデータを取得し、その画像を画面上に表示する。
【０２２４】
なお、上述の図８〜図１０の説明では、二つの携帯電話端末間でネットワークが形成され、マスターデバイス側の携帯電話端末とスレーブデバイス側の携帯電話端末が「一対一」に対応している例を挙げたが、一つのマスターデバイス側携帯電話端末から複数のスレーブデバイス側携帯電話端末へ表示データを同時に転送するような「一対多」のネットワーク構成において、複数のスレーブデバイス側携帯電話端末のうちの一つがマスターデバイス側携帯電話端末に切り替わると共にコマンドの送受信がなされる場合にも、本発明は適用可能である。
【０２２５】
以上のように、図８〜図１０の例によれば、インターネット上の同じウェブページを複数人が同時に閲覧するような場合であっても、それら各人の携帯電話端末の画面上に同期して同じ映像が表示されることになるため、複数人が一つの携帯電話端末の画面上を同時に覗き込むようなことを行わなくても、各人はそれぞれ同じ映像を閲覧することができるようになる。
【０２２６】
また、図８〜図１０の例によれば、一方の携帯電話端末から他方の携帯電話端末に表示データが転送されるため、例えば一方の携帯電話端末から他方の携帯電話端末へウェブサイトのＵＲＬを転送したり、他方の携帯電話端末のユーザがＵＲＬを直接入力するような操作が不要となる。
【０２２７】
また、図８〜図１０の例によれば、例えば、一方の携帯電話端末において、或るウェブサイトから幾つかのリンクを経ることなどにより、別のウェブサイトやコンテンツに辿り着いているような場合でも、それと同じウェブサイトやコンテンツを他方の携帯電話端末Ｂの画面上に表示させることができるため、当該他方の携帯電話端末にて一方の携帯電話端末で行われたような幾つかのリンクを辿る操作は不要である。
【０２２８】
さらに、図８〜図１０の例によれば、マスター／スレーブの切り替えが可能であるため、例えば他方の携帯電話端末Ｂの画面上に別のサイトのウェブページが表示されるようになった場合において、今度は逆に、上記他方の携帯電話端末Ｂの画面上に表示されているのと同じウェブページを、上記一方の携帯電話端末Ａの画面上に表示させるようなことが容易に行えるようになる。
【０２２９】
また、図８〜図１０の例によれば、スレーブデバイス側の携帯電話端末の画面表示制御は、マスターデバイス側の携帯電話端末からのコマンドにより実行されるため、マスターデバイス側の携帯電話端末の画面上で動的に変化する画像を、スレーブデバイス側の携帯電話端末の画面上に同期させて表示することができることになる。
【０２３０】
さらに、図８〜図１０の例によれば、マスターデバイス側の携帯電話端末から送信される表示データは、スレーブデバイス側の携帯電話端末の画面表示に必要な表示データのみとなされているため、伝送データ量を減らすことが可能となっている。
【０２３１】
〔実施形態のまとめ〕
以上説明したように、本実施形態によれば、例えば、一つの携帯電話端末の画面を覗き込むことなく、他の人がその携帯電話端末の画面上に表示されている画像を閲覧できるようになる。また、本実施形態によれば、例えば、一方の携帯電話端末の画面上にインターネット上のウェブページやコンテンツが表示されているような場合において、そのＵＲＬの転送や入力等を必要とせずに、他方の携帯電話端末の画面上にそのウェブページやコンテンツを容易に表示させることが可能となる。更に、本実施形態によれば、他方の携帯電話端末の画面上に表示されたウェブページやコンテンツを一方の携帯電話端末の画面上に容易に表示させることが可能となる。
【０２３２】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【０２３３】
本発明は携帯電話端末に限定されず、所定の回線への通信機能と近距離無線通信機能とを備えた例えばＰＤＡ装置やポータブルオーディオビジュアル機器等、各種の電子機器にも適用可能である。
【０２３４】
また、本実施形態では、ウェブページの閲覧を例に挙げたが、例えば一方の携帯電話端末の内部メモリや外付けメモリに格納されている映像等のデータ、電子メールデータ、ゲーム画像データ、音声データ等を、他方の携帯電話端末へ転送するような場合にも適用可能である。
【図面の簡単な説明】
【０２３５】
【図１】本実施形態の携帯電話端末の概略的な内部回路構成を示すブロック回路図である。
【図２】マスターデバイス側の携帯電話端末の表示データをスレーブデバイス側の携帯電話端末へ転送する際の、マスターデバイス側の携帯電話端末の処理フローチャートである。
【図３】マスターデバイス側の携帯電話端末の表示データをスレーブデバイス側の携帯電話端末へ転送する際の、スレーブデバイス側の携帯電話端末の処理フローチャートである。
【図４】マスターデバイス側の携帯電話端末の画面上の映像表示データを、ブルートゥース方式による近距離通信ネットワークを通じて所定のタイミングでスレーブバイス側の携帯電話端末へ転送するようにした場合のシーケンス図である。
【図５】先にマスターデバイス側となり、その後、マスター／スレーブの切り替えによりスレーブデバイス側となる携帯電話端末の処理フローチャートである。
【図６】先にスレーブデバイス側となり、その後、マスター／スレーブの切り替えによりマスターデバイス側となる携帯電話端末における処理フローチャートである。
【図７】マスターデバイス側の携帯電話端末から所定のタイミングで表示データがスレーブバイス側の携帯電話端末へ転送されると共に、マスター／スレーブの切り替えが行われる際のシーケンス図である。
【図８】表示データとコマンドを送信する例において、先にマスターデバイス側となり、その後、マスター／スレーブの切り替えによりスレーブデバイス側となる携帯電話端末の処理フローチャートである。
【図９】表示データとコマンドを送信する例において、先にスレーブデバイス側となり、その後、マスター／スレーブの切り替えによりマスターデバイス側となる携帯電話端末における処理フローチャートである。
【図１０】マスターデバイス側の携帯電話端末から表示データとコマンドがスレーブバイス側の携帯電話端末へ転送されると共に、マスター／スレーブの切り替えが行われる際のシーケンス図である。
【符号の説明】
【０２３６】
１  携帯電話端末、１１  制御部、１２  通信回路、１３  通信アンテナ、１４  表示部、１５  操作部、１６  メモリ、２１  スピーカ、２２  マイクロホン、２３  近距離通信制御部、２４  近距離通信アンテナ
【図１】
2006115299.tif 000003
【図２】
2006115299.tif 000004
【図３】
2006115299.tif 000005
【図４】
2006115299.tif 000006
【図５】
2006115299.tif 000007
【図６】
2006115299.tif 000008
【図７】
2006115299.tif 000009
【図８】
2006115299.tif 000010
【図９】
2006115299.tif 000011
【図１０】
2006115299.tif 000012